(57)【要約】  チャネル状態情報（ＣＳＩ）の処理方法、基地局及び端末であって、そのうち、該チャネル状態情報の処理方法は、基地局が端末に複数のＣＳＩプロセスを設定し、各ＣＳＩプロセスが少なくともチャネル測定部分の情報及び干渉測定部分の情報を含むことと、前記基地局が一部又は全部のＣＳＩプロセスにその対応するＣＳＩ参照プロセスを設定した場合、ＣＳＩ参照プロセスを設定することにより、少なくとも、ＣＳＩ報告を計算するためのＣＳＩプロセスのランクインジケータ（ＲＩ）とＣＳＩ参照プロセスのＲＩとが一致するように制限することと、前記基地局はＣＳＩ参照プロセスが設定されたＣＳＩプロセスに対して、ＣＳＩ参照プロセスに対応するＲＩ、又はＲＩ及びＰＴＩ、又はＲＩ及びＰＭＩ０に従ってＣＳＩプロセスのＣＳＩ報告を受信することとを含む。本発明の実施例は柔軟的なチャネル状態情報の設定及びフィードバックを実現することができ、それによりアップリンクのフィードバックオーバヘッド及び可能なフィードバック情報の衝突の確率を効果的に減少させる。【選択図】図１
2015537451.tif 000002
【特許請求の範囲】
【請求項１】
基地局が端末に複数のＣＳＩのプロセスを設定し、各ＣＳＩプロセスが少なくともチャネル測定部分の情報及び干渉測定部分の情報を含むことと、
前記基地局が一部又は全部のＣＳＩプロセスのために対応するＣＳＩ参照プロセスを設定する場合、ＣＳＩ参照プロセスを設定することにより、少なくとも、ＣＳＩプロセスのＣＳＩ報告を計算するためのランクインジケータ（ＲＩ）とＣＳＩ参照プロセスのＲＩとが一致するように制限し、前記基地局はＣＳＩ参照プロセスが設定されたＣＳＩプロセスに対して、ＣＳＩ参照プロセスに対応するＲＩ、又はＲＩ及びプリコーディングタイプインジケータ（ＰＴＩ）、又はＲＩ及びプリコーディングマトリクスインジケータ（ＰＭＩ０）に従ってＣＳＩプロセスのＣＳＩ報告を受信することと、を含むチャネル状態情報（ＣＳＩ）の処理方法。
【請求項２】
前記基地局により設定された複数のＣＳＩプロセスに対応するＲＩ、又はＲＩ及びＰＴＩ、又はＲＩ及びＰＭＩ０が一部のサブフレーム又は全部のサブフレームにおいて衝突して廃棄された場合、前記基地局はＣＳＩプロセスに対応するＣＳＩ参照プロセスのＲＩ、又はＲＩ及びＰＴＩ、又はＲＩ及びＰＭＩ０に従って該ＣＳＩプロセスのＣＳＩ報告を受信することを更に含む請求項１に記載の方法。
【請求項３】
前記ＲＩ及びＰＴＩは、前記ＲＩ及び前記ＰＴＩが同一のサブフレームにおいて伝送されるとの設定状況を指し、
前記ＲＩ及びＰＭＩ０は、前記ＲＩ及び前記ＰＭＩ０がを同一のサブフレームにジョイントコーディングして伝送される設定状況を指す請求項１又は２に記載の方法。
【請求項４】
前記基地局が一部又は全部のＣＳＩプロセスのために対応するＣＳＩ参照プロセスを設定する場合、ＣＳＩ参照プロセスを設定することにより、少なくとも、ＣＳＩプロセスのＣＳＩ報告を計算するためのＲＩとＣＳＩ参照プロセスがフィードバックしたＲＩとが一致するように制限することは、  
前記基地局が現在のＣＳＩプロセスのために対応するＣＳＩ参照プロセスを設定する場合、前記ＣＳＩプロセスには前記対応するＣＳＩ参照プロセスと同一のフィードバックモード及び／又はフィードバックタイプが設定されていること、又は
前記基地局が現在のＣＳＩプロセスのために対応するＣＳＩ参照プロセス及び周期的フィードバックを設定する場合、前記現在のＣＳＩプロセスには前記対応するＣＳＩ参照プロセスと同一のフィードバックモード及び／又はフィードバックタイプが設定されていること、又は
前記基地局が現在のＣＳＩプロセスのために対応するＣＳＩ参照プロセスを設定し、且つ前記ＣＳＩプロセス及び前記対応するＣＳＩ参照プロセスのノンゼロパワー（ＮＺＰ）チャネル状態情報参照信号（ＣＳＩ−ＲＳ）のポートの数が８であり、及び両者にいずれもＲＩフィードバックを設定した場合、前記現在のＣＳＩプロセスには前記対応するＣＳＩ参照プロセスと同一のフィードバックモード及び／又はフィードバックタイプが設定されていること、又は
前記基地局が現在のＣＳＩプロセスのために対応するＣＳＩ参照プロセスを設定し、且つ前記ＣＳＩプロセスとＣＳＩ参照プロセスのＮＺＰ  ＣＳＩ−ＲＳのポートの数が８であり、及び両者にいずれもＲＩフィードバック及び周期的フィードバックを設定した場合、前記現在のＣＳＩプロセスには前記対応するＣＳＩ参照プロセスと同一のフィードバックモード及び／又はフィードバックタイプが設定されていること、又は
前記基地局が現在のＣＳＩプロセスのために対応するＣＳＩ参照プロセスを設定し、且つ前記ＣＳＩプロセスとＣＳＩ参照プロセスのＮＺＰ  ＣＳＩ−ＲＳのポートの数が８であり、及び両者にいずれもＲＩフィードバック及び周期的フィードバック物理アップリンク制御チャンネル（ＰＵＣＣＨ）モード１−１のサブモード１又はＰＵＣＣＨモード２−１を設定した場合、前記現在のＣＳＩプロセスには前記対応するＣＳＩ参照プロセスと同一のフィードバックモード及び／又はフィードバックタイプが設定されていること、又は
前記基地局が非周期フィードバックに設定されたＣＳＩプロセスのみにＣＳＩ参照プロセスを設定する場合、前記非周期フィードバックに設定されたＣＳＩプロセスには対応するＣＳＩ参照プロセスと同一のフィードバックモード及び／又はフィードバックタイプが設定されていること、又は
前記基地局が非周期フィードバックに設定されたＣＳＩプロセスのみにＣＳＩ参照プロセスを設定し、且つ該ＣＳＩ参照プロセスも非周期フィードバックのＣＳＩプロセスである場合、前記非周期フィードバックに設定されたＣＳＩプロセスには対応するＣＳＩ参照プロセスと同一のフィードバックモード及び／又はフィードバックタイプが設定されていること、又は
前記基地局が現在のＣＳＩプロセスのために対応するＣＳＩ参照プロセスを設定し、且つ前記現在のＣＳＩプロセスがフィードバックモード２−１である場合、前記対応するＣＳＩ参照プロセスには前記現在のＣＳＩプロセスと同一のフィードバックモード及びフィードバックタイプが設定されていること、又は
前記基地局が現在のＣＳＩプロセスのために対応するＣＳＩ参照プロセスを設定し、且つ前記現在のＣＳＩプロセスがフィードバックモード１のサブモード１である場合、前記対応するＣＳＩ参照プロセスには前記現在のＣＳＩプロセスと同一のフィードバックモード及びフィードバックタイプが設定されていることを含む請求項１又は２に記載の方法。
【請求項５】
前記基地局がＣＳＩプロセスのＮＺＰ  ＣＳＩ−ＲＳポートの数をいずれも８に設定し、且ついずれもＲＩフィードバック及びＣＳＩ参照プロセスを設定し、ＰＵＣＣＨフィードバックモードが１−１のサブモード１又はＰＵＣＣＨフィードバックモード２−１である場合、又は前記基地局がＣＳＩプロセスのＮＺＰ  ＣＳＩ−ＲＳポートの数をいずれも８に設定し、いずれもＲＩフィードバック及びＣＳＩ参照プロセスを設定し、ＰＵＣＣＨフィードバックモードが１−１のサブモード１又はＰＵＣＣＨフィードバックモード２−１であり、且つ前記ＣＳＩプロセスと設定されたＣＳＩ参照プロセスのＲＩ又はＰＴＩサブフレームが衝突し、又は前記ＣＳＩプロセスと設定されたＣＳＩ参照プロセスのＲＩ又はＰＭＩ０サブフレームが衝突して廃棄された場合、前記基地局は前記ＣＳＩプロセスと対応するＣＳＩ参照プロセスとが同一のフィードバックモード及び／又はフィードバックタイプを有するように設定すること、又は
前記基地局がＣＳＩプロセスのＮＺＰ  ＣＳＩ−ＲＳポートの数をいずれも８に設定し、且ついずれもＲＩフィードバック、ＣＳＩ参照プロセス及び周期的フィードバックを設定した場合、又は前記基地局がＣＳＩプロセスのＮＺＰ  ＣＳＩ−ＲＳポートの数をいずれも８に設定し、いずれもＲＩフィードバック、ＣＳＩ参照プロセス及び周期的フィードバックを設定し、且つ前記ＣＳＩプロセスと設定されたＣＳＩ参照プロセスのＲＩ又はＰＴＩサブフレームが衝突し、又は前記ＣＳＩプロセスと設定されたＣＳＩ参照プロセスのＲＩ又はＰＭＩ０サブフレームが衝突して廃棄された場合、前記基地局は前記ＣＳＩプロセスと対応するＣＳＩ参照プロセスとが同一のフィードバックモード及び／又はフィードバックタイプを有するように設定することを更に含む請求項２に記載の方法。
【請求項６】
前記基地局が設定したＣＳＩプロセスに対応するＲＩ、又はＲＩ及びＰＴＩ、又はＲＩ及びＰＭＩ０は一部のサブフレーム又は全部サブフレームにおいて他のＣＳＩプロセスサブフレームと衝突して廃棄された場合、前記基地局はＣＳＩプロセスに対応するＣＳＩ参照プロセスのＲＩ、又はＲＩ及びＰＴＩ、又はＲＩ及びＰＭＩ０に従って該ＣＳＩプロセスのＣＳＩ報告を受信することは、
ＣＳＩ参照プロセスと非ＣＳＩ参照プロセスの、ＣＳＩのＲＩ、又はＲＩ及びＰＴＩ、又はＲＩ及びＰＭＩ０をフィードバックするサブフレームが衝突して廃棄された場合、前記基地局は優先的にＣＳＩ参照プロセスに対応するＲＩ、又はＲＩ及びＰＴＩ、又はＲＩ及びＰＭＩ０に従って該ＣＳＩ参照プロセスに対応するＣＳＩプロセスのＣＳＩ報告を受信すること、又は
衝突が発生して廃棄された場合、
ＣＳＩ参照プロセスに対応するＲＩ、又はＰＴＩ及びＲＩ、又はＲＩ及びＰＭＩ０と他のＣＳＩプロセスが衝突して廃棄された場合、前記基地局は最近にフィードバックされたＣＳＩ参照プロセスに対応するＲＩ、又はＲＩ及びＰＴＩ、又はＲＩ及びＰＭＩ０に従って該ＣＳＩ参照プロセスに対応するＣＳＩプロセスのＣＳＩ報告を受信すること、又は
ＣＳＩ参照プロセスのＲＩサブフレームと前記ＣＳＩ参照プロセスに対応するＣＳＩプロセスのＲＩ又はＰＴＩジョイントコードサブフレームが衝突して廃棄された場合、前記基地局は、前記ＣＳＩ参照プロセスのＲＩ及び最近にフィードバックされたＰＴＩ又はＰＴＩ＝０又はＰＴＩ＝１に従って該ＣＳＩ参照プロセスに対応するＣＳＩプロセスのＣＳＩ報告を受信すること、又は
ＣＳＩ参照プロセスのＲＩサブフレームと前記ＣＳＩ参照プロセスに対応するＣＳＩプロセスのＲＩ又はＰＭＩ０ジョイントコードサブフレームが衝突して廃棄された場合、前記基地局は前記ＣＳＩ参照プロセスに対応するＲＩ及び前記ＣＳＩプロセスが最近にフィードバックしたＰＭＩ０に従って該ＣＳＩ参照プロセスに対応するＣＳＩプロセスのＣＳＩ報告を受信すること、又は
ＣＳＩ参照プロセスのＲＩ又はＰＴＩジョイントコードサブフレームと前記ＣＳＩ参照プロセスに対応するＣＳＩプロセスのＲＩ又はＰＴＩジョイントコードサブフレームが衝突して廃棄された場合、前記基地局は前記ＣＳＩ参照プロセスに対応するＲＩ又はＰＴＩに従って前記ＣＳＩプロセスのＣＳＩ報告を受信すること、又は
ＣＳＩ参照プロセスのＲＩ又はＰＴＩジョイントコードサブフレームと前記ＣＳＩ参照プロセスに対応するＣＳＩプロセスのＲＩ又はＰＴＩジョイントコードサブフレームが衝突して廃棄された場合、前記基地局は前記ＣＳＩ参照プロセスに対応するＲＩ及び最近にフィードバックされたＰＴＩに従って前記ＣＳＩプロセスのＣＳＩ報告を受信し、前記ＣＳＩ報告がＰＭＩ及び／又はチャネル品質インジケータ（ＣＱＩ）を含むこと、又は
ＣＳＩ参照プロセスのＲＩ又はＰＭＩ０ジョイントコードサブフレームと前記ＣＳＩ参照プロセスに対応するＣＳＩプロセスのＲＩ又はＰＭＩ０ジョイントコードサブフレームが衝突して廃棄された場合、前記基地局は前記ＣＳＩ参照プロセスに対応するＲＩ又はＣＱＩに従って前記ＣＳＩプロセスのＣＳＩ報告を受信し、前記ＣＳＩ報告がＰＭＩ及び／又はＣＱＩを含むこと、又は
ＣＳＩ参照プロセスのＲＩ又はＰＴＩジョイントコードサブフレームと前記ＣＳＩ参照プロセスに対応するＣＳＩプロセスのＲＩ又はＰＭＩ０ジョイントコードサブフレームが衝突して廃棄された場合、前記基地局は前記ＣＳＩ参照プロセスに対応するＲＩ及び最近にフィードバックされたＰＭＩ０に従って前記ＣＳＩプロセスのＣＳＩ報告を受信し、前記ＣＳＩ報告がＰＭＩ及び／又はＣＱＩを含むこと、又は
ＣＳＩ参照プロセスのＲＩ又はＰＭＩ０ジョイントコードサブフレームと前記ＣＳＩ参照プロセスに対応するＣＳＩプロセスのＲＩ又はＰＭＩ０ジョイントコードサブフレームが衝突して廃棄された場合、前記基地局は前記ＣＳＩ参照プロセスに対応するＲＩ及び最近にフィードバックされたＰＴＩ又はＰＴＩ＝０又はＰＴＩ＝１に従って前記ＣＳＩプロセスのＣＳＩ報告を受信すること、又は
ＣＳＩ参照プロセスに対応するＲＩと他のＣＳＩプロセスが衝突して廃棄された場合、前記基地局は最近にフィードバックされた前記ＣＳＩ参照プロセスに対応するＲＩに従って前記ＣＳＩ参照プロセスのＣＳＩ報告を受信し、及び現在のサブフレームに算出されたＲＩに従って前記ＣＳＩプロセスのＣＳＩ報告を受信すること、又は
ＣＳＩ参照プロセスに対応するＲＩと他のＣＳＩプロセスが衝突して廃棄された場合、前記基地局は最近にフィードバックされた前記ＣＳＩ参照プロセスに対応するＲＩ又は前記ＣＳＩ参照プロセスに対応するＣＳＩプロセスがフィードバックしたＲＩに従って前記ＣＳＩ参照プロセスのＣＳＩ報告を受信することを含む請求項２に記載の方法。
【請求項７】
端末は基地局からＣＳＩプロセスを取得し、前記ＣＳＩプロセスの一部又は全部にＣＳＩ参照プロセスが設定された場合、前記端末はＣＳＩ参照プロセスに対応するランクインジケータ（ＲＩ）、又はＲＩ及びプリコーディングタイプインジケータ（ＰＴＩ）、又はＲＩ及びプリコーディングマトリクスインジケータ（ＰＭＩ０）に従って前記ＣＳＩ参照プロセスが設定されたＣＳＩプロセスのＣＳＩ報告を計算することを含むチャネル状態情報（ＣＳＩ）の処理方法。
【請求項８】
前記端末がフィードバックした複数のＣＳＩプロセスに対応するＲＩ、又はＲＩ及びＰＴＩ、又はＲＩ及びＰＭＩ０が一部のサブフレーム又は全部のサブフレームにおいて衝突して廃棄された場合、対応するＣＳＩ参照プロセスのＲＩ、又はＲＩ及びＰＴＩ、又はＲＩ及びＰＭＩ０に従って前記ＣＳＩプロセスに対応するＣＳＩ報告を計算することを更に含む請求項７に記載の方法。
【請求項９】
前記ＣＳＩ報告は、ＰＭＩ、ＣＱＩ、ＰＭＩ０及びＰＭＩ１の１種又は複数種を含む請求項７又は８に記載の方法。
【請求項１０】
前記端末の１つのＣＳＩプロセスには対応するＣＳＩ参照プロセスを設定した場合、前記端末は前記ＣＳＩプロセスと前記ＣＳＩ参照プロセスが同一のフィードバックモード及び／又はフィードバックタイプを有することを確定すること、又は
前記端末の１つのＣＳＩプロセスには対応するＣＳＩ参照プロセス及び周期的フィードバックを設定した場合、前記端末は前記ＣＳＩプロセスと前記ＣＳＩ参照プロセスが同一のフィードバックモード及び／又はフィードバックタイプを有することを確定すること、又は
ＣＳＩ参照プロセスと前記ＣＳＩ参照プロセスが設定されたＣＳＩプロセスのノンゼロパワー（ＮＺＰ）チャネル状態情報参照信号（ＣＳＩ−ＲＳ）ポートの数がいずれも８に設定され、且ついずれもＲＩフィードバックが設定された場合、前記端末は前記ＣＳＩプロセスと前記ＣＳＩ参照プロセスが同一のフィードバックモード及び／又はフィードバックタイプを有することを確定すること、又は
ＣＳＩ参照プロセスと前記ＣＳＩ参照プロセスが設定されたＣＳＩプロセスのＮＺＰ  ＣＳＩ−ＲＳポートの数がいずれも８に設定され、且ついずれもＲＩフィードバック及び周期的フィードバックが設定された場合、前記端末は前記ＣＳＩプロセスと前記ＣＳＩ参照プロセスが同一のフィードバックモード及び／又はフィードバックタイプを有することを確定すること、又は
ＣＳＩプロセスのＮＺＰ  ＣＳＩ−ＲＳポートの数がいずれも８に設定され、且ついずれもＲＩフィードバック及びＣＳＩ参照プロセスが設定され、物理アップリンク制御チャンネル（ＰＵＣＣＨ）フィードバックモードが１−１のサブモード１又はＰＵＣＣＨフィードバックモード２−１である場合、又はＣＳＩプロセスのＮＺＰ  ＣＳＩ−ＲＳポートの数がいずれも８に設定され、いずれもＲＩフィードバック及びＣＳＩ参照プロセスが設定され、ＰＵＣＣＨフィードバックモードが１−１のサブモード１又はＰＵＣＣＨフィードバックモード２−１であり、且つ前記ＣＳＩプロセスと設定されたＣＳＩ参照プロセスのＲＩ又はＰＴＩサブフレームが衝突し、又はＲＩ又はＰＭＩ０サブフレームが衝突して廃棄された場合、前記端末は前記ＣＳＩプロセスと前記ＣＳＩ参照プロセスが同一のフィードバックモード及び／又はフィードバックタイプを有することを確定すること、又は、
前記端末が非周期フィードバックに設定された場合、前記端末は設定されたＣＳＩ参照プロセスが、対応するＣＳＩプロセスに対して有効であることを確定すること、又は
前記端末が非周期フィードバックに設定され、且つ対応するＣＳＩ参照プロセスも非周期フィードバックのＣＳＩプロセスである場合、前記端末は設定されたＣＳＩ参照プロセスが、対応するＣＳＩプロセスに対して有効であることを確定すること、又は
前記端末の１つのＣＳＩプロセスには対応するＣＳＩ参照プロセスが設定され、且つ前記ＣＳＩプロセスがフィードバックモード２−１である場合、前記端末は、前記ＣＳＩ参照プロセスと前記ＣＳＩプロセスが同一のフィードバックモード及び／又はフィードバックタイプを有することを確定すること、又は
前記端末の１つのＣＳＩプロセスには対応するＣＳＩ参照プロセスが設定され、且つ前記ＣＳＩプロセスがフィードバックモード１のサブモード１である場合、前記端末は、前記ＣＳＩ参照プロセスと前記ＣＳＩプロセスが同一のフィードバックモード及び／又はフィードバックタイプを有することを確定すること、を更に含む請求項７又は８に記載の方法。
【請求項１１】
前記端末がフィードバックした複数のＣＳＩプロセスに対応するＲＩ、又はＲＩ及びＰＴＩ、又はＲＩ及びＰＭＩ０が一部のサブフレーム又は全部のサブフレームにおいて衝突して廃棄された場合、対応するＣＳＩ参照プロセスのＲＩ、又はＲＩ及びＰＴＩ、又はＲＩ及びＰＭＩ０に従って前記ＣＳＩプロセスに対応するＣＳＩ報告を計算することは、
ＣＳＩ参照プロセスと非ＣＳＩ参照プロセスの、ＣＳＩのＲＩ、又はＲＩ及びＰＴＩ、又はＲＩ及びＰＭＩ０をフィードバックするサブフレームが衝突して廃棄された場合、前記端末は優先的にＣＳＩ参照プロセスに対応するＲＩ、又はＲＩ及びＰＴＩ、又はＲＩ及びＰＭＩ０をフィードバックすること、又は
ＣＳＩ参照プロセスと前記ＣＳＩ参照プロセスに対応するＣＳＩプロセスのＲＩ、ＲＩ及びＰＴＩ、又はＲＩ及びＰＭＩ０をフィードバックするサブフレームが衝突して廃棄された場合、前記端末は優先的にＣＳＩ参照プロセスに対応するＲＩ、ＲＩ及びＰＴＩ、又はＲＩ及びＰＭＩ０をフィードバックすること、又は
ＣＳＩ参照プロセスのインデックス優先度が前記ＣＳＩ参照プロセスに対応するＣＳＩプロセスより低い場合、且つ両者の、ＲＩ、ＲＩ及びＰＴＩ又はＲＩ及びＰＭＩ０をフィードバックするサブフレームが衝突して廃棄された場合、前記端末は優先的にＣＳＩ参照プロセスに対応するＲＩ、又はＲＩ及びＰＴＩ、又はＲＩ及びＰＭＩ０をフィードバックし、又はＣＳＩ参照プロセスのインデックス優先度が必ず前記ＣＳＩプロセスより大きいように制限すること、又は
ＣＳＩ参照プロセスに対応するＲＩ、ＲＩ又はＰＴＩ、又はＲＩ及びＰＭＩ０と他のＣＳＩプロセスが衝突して廃棄された場合、ＣＳＩ参照プロセスと前記ＣＳＩ参照プロセスに対応するＣＳＩプロセスのＣＳＩ報告は最近にフィードバックされたＣＳＩ参照プロセスのＲＩ、又はＲＩ及びＰＴＩ、又はＲＩ及びＰＭＩ０に従ってＣＳＩ報告の計算を行うこと、又は
ＣＳＩ参照プロセスのＲＩサブフレームと前記ＣＳＩ参照プロセスに対応するＣＳＩプロセスのＲＩ又はＰＴＩジョイントコードサブフレームが衝突して廃棄された場合、前記端末はＣＳＩ参照プロセスのＲＩ及び最近にフィードバックされたＰＴＩ又はＰＴＩ＝０又はＰＴＩ＝１に従って前記ＣＳＩプロセスのＣＳＩ報告を計算し、且つ前記ＣＳＩ参照プロセスのＲＩをフィードバックすること、又は
ＣＳＩ参照プロセスのＲＩサブフレームと前記ＣＳＩ参照プロセスに対応するＣＳＩプロセスのＲＩ又はＰＭＩ０ジョイントコードサブフレームが衝突して廃棄された場合、前記端末はＣＳＩ参照プロセスのＲＩ及び前記ＣＳＩプロセスが最近にフィードバックしたＰＭＩ０に従って前記ＣＳＩプロセスのＣＳＩ報告を計算し、且つ前記ＣＳＩ参照プロセスのＲＩをフィードバックすること、又は
ＣＳＩ参照プロセスと前記ＣＳＩ参照プロセスに対応するＣＳＩプロセスのＲＩ又はＰＴＩジョイントコードサブフレームが衝突して廃棄された場合、前記端末はＣＳＩ参照プロセスのＲＩ又はＰＴＩに従ってＣＳＩプロセスのＣＳＩ報告を計算し、且つＣＳＩ参照プロセスのＲＩ又はＰＴＩ及び計算された前記ＣＳＩ報告をフィードバックすること、又は
ＣＳＩ参照プロセスと前記ＣＳＩ参照プロセスに対応するＣＳＩプロセスのＲＩ又はＰＴＩジョイントコードサブフレームが衝突して廃棄された場合、前記端末はＣＳＩ参照プロセスのＲＩ及び最近にフィードバックされたＰＴＩに従ってＣＳＩ報告を計算し、且つ前記ＣＳＩ参照プロセスのＲＩ又はＰＴＩ、及び計算された前記ＣＳＩ報告をフィードバックし、前記ＣＳＩ報告がＰＭＩ及び／又はチャネル品質インジケータ（ＣＱＩ）を含むこと、又は
ＣＳＩ参照プロセスと前記ＣＳＩ参照プロセスに対応するＣＳＩプロセスのＲＩ又はＰＭＩ０ジョイントコードサブフレームが衝突して廃棄された場合、前記端末はＣＳＩ参照プロセスのＲＩ又はＰＭＩ０に従ってＣＳＩ報告を計算し、且つ前記ＣＳＩ参照プロセスのＲＩ又はＰＭＩ０、及び計算された前記ＣＳＩ報告をフィードバックし、前記ＣＳＩ報告がＰＭＩ及び／又はＣＱＩを含むこと、又は
ＣＳＩ参照プロセスのＲＩ又はＰＴＩジョイントコードサブフレームと前記ＣＳＩ参照プロセスに対応するＣＳＩプロセスのＲＩ又はＰＭＩ０ジョイントコードサブフレームが衝突して廃棄された場合、前記端末はＣＳＩ参照プロセスのＲＩ及び最近にフィードバックされたＰＭＩ０に従って前記ＣＳＩプロセスのＣＳＩ報告を計算し、且つ前記ＣＳＩ参照プロセスのＲＩ又はＰＴＩ、及び計算された前記ＣＳＩ報告をフィードバックし、前記ＣＳＩ報告がＰＭＩ及び／又はＣＱＩを含むこと、又は
ＣＳＩ参照プロセスと前記ＣＳＩ参照プロセスに対応するＣＳＩプロセスのＲＩ又はＰＭＩ０ジョイントコードサブフレームが衝突して廃棄された場合、前記端末はＣＳＩ参照プロセスのＲＩ及び最近にフィードバックされたＰＴＩ又はＰＴＩ＝０又はＰＴＩ＝１に従って前記ＣＳＩプロセスのＣＳＩ報告を計算し、且つ前記ＣＳＩ参照プロセスのＲＩ又はＰＴＩ、及び計算された前記ＣＳＩ報告をフィードバックすること、又は
ＣＳＩ参照プロセスに対応するＲＩと他のＣＳＩプロセスが衝突して廃棄された場合、前記端末は最近にフィードバックされたＣＳＩ参照プロセスのＲＩに従ってＣＳＩ参照プロセスのＣＳＩ報告の計算及びフィードバックを行い、前記ＣＳＩ参照プロセスに対応するＣＳＩプロセスは現在のサブフレームに算出されたＲＩに従って前記ＣＳＩプロセスのＣＳＩ報告の計算及びフィードバックを行うこと、又は
ＣＳＩ参照プロセスに対応するＲＩと他のＣＳＩプロセスが衝突して廃棄された場合、前記端末は最近にフィードバックされたＣＳＩ参照プロセスのＲＩ又は前記ＣＳＩ参照プロセスに対応するＣＳＩプロセスがフィードバックしたＲＩに従って前記ＣＳＩ参照プロセスのＣＳＩを計算してフィードバックすることを含む請求項８に記載の方法。
【請求項１２】
前記ＣＳＩプロセスの一部又は全部にＣＳＩ参照プロセスが設定された場合、前記端末はＣＳＩ参照プロセスに対応するＲＩ、又はＲＩ及びＰＴＩ、又はＲＩ及びＰＭＩ０に従って前記ＣＳＩ参照プロセスが設定されたＣＳＩプロセスのＣＳＩ報告を計算することは、
前記端末の１つのＣＳＩプロセスには対応するＣＳＩ参照プロセスが設定された場合、前記端末は前記対応するＣＳＩ参照プロセスのＲＩに従ってＰＭＩ及びＣＱＩを更新することを含む請求項７又は８に記載の方法。
【請求項１３】
前記端末は前記対応するＣＳＩ参照プロセスのＲＩに従ってＰＭＩ及びＣＱＩを更新することは、
前記端末は前記ＣＳＩプロセスのＰＭＩ又はＰＭＩ０フィードバックサブフレームにおいて最近のＣＳＩ参照プロセスがフィードバックしたＲＩに従ってＰＭＩ及びＣＱＩの計算更新を行うこと、又は
前記端末は前記ＣＳＩプロセスのＲＩフィードバックサブフレームにおいて最近のＣＳＩ参照プロセスがフィードバックしたＲＩに従ってＰＭＩ及びＣＱＩの計算更新を行うことを含む請求項１２に記載の方法。
【請求項１４】
端末のために複数のＣＳＩプロセスを設定し、各ＣＳＩプロセスが少なくともチャネル測定部分の情報及び干渉測定部分の情報を含むように設定される設定モジュールと、
前記基地局が一部又は全部のＣＳＩプロセスのために対応するＣＳＩ参照プロセスを設定する場合、ＣＳＩ参照プロセスを設定することにより、少なくとも、ＣＳＩプロセスのＣＳＩ報告を計算するためのランクインジケータ（ＲＩ）とＣＳＩ参照プロセスのＲＩとが一致するように制限し、ＣＳＩ参照プロセスが設定されたＣＳＩプロセスに対して、ＣＳＩ参照プロセスに対応するＲＩ、又はＲＩ及びプリコーディングタイプインジケータ（ＰＴＩ）、又はＲＩ及びプリコーディングマトリクスインジケータ（ＰＭＩ０）に従ってＣＳＩプロセスのＣＳＩ報告を受信するように設定される受信モジュールと、を備える基地局。
【請求項１５】
前記受信モジュールはさらに、
前記基地局により設定された複数のＣＳＩプロセスに対応するＲＩ、又はＲＩ及びＰＴＩ、又はＲＩ及びＰＭＩ０が一部のサブフレーム又は全部のサブフレームにおいて衝突して廃棄された場合、前記基地局はＣＳＩプロセスに対応するＣＳＩ参照プロセスのＲＩ、又はＲＩ及びＰＴＩ、又はＲＩ及びＰＭＩ０に従って該ＣＳＩプロセスのＣＳＩ報告を受信するように設定される請求項１４に記載の基地局。
【請求項１６】
前記ＲＩ及びＰＴＩは、前記ＲＩ及び前記ＰＴＩが同一のサブフレームにおいて伝送される設定状況を指し、
前記ＲＩ及びＰＭＩ０は、前記ＲＩ及び前記ＰＭＩ０がジョイントコード同一のサブフレームにジョイントコーディングして伝送される設定状況を指す請求項１４又は１５に記載の基地局。
【請求項１７】
前記受信モジュールは、  
前記基地局が現在のＣＳＩプロセスのために対応するＣＳＩ参照プロセスを設定する場合、前記ＣＳＩプロセスには前記対応するＣＳＩ参照プロセスと同一のフィードバックモード及び／又はフィードバックタイプが設定されている、又は
前記基地局が現在のＣＳＩプロセスのために対応するＣＳＩ参照プロセス及び周期的フィードバックを設定する場合、前記現在のＣＳＩプロセスには前記対応するＣＳＩ参照プロセスと同一のフィードバックモード及び／又はフィードバックタイプが設定されている、又は
前記基地局が現在のＣＳＩプロセスのために対応するＣＳＩ参照プロセスを設定し、且つ前記ＣＳＩプロセス及び前記対応するＣＳＩ参照プロセスのノンゼロパワー（ＮＺＰ）チャネル状態情報参照信号（ＣＳＩ−ＲＳ）のポートの数が８であり、及び両者にいずれもＲＩフィードバックが設定された場合、前記現在のＣＳＩプロセスには前記対応するＣＳＩ参照プロセスと同一のフィードバックモード及び／又はフィードバックタイプが設定されている、又は
前記基地局が現在のＣＳＩプロセスのために対応するＣＳＩ参照プロセスを設定し、且つ前記ＣＳＩプロセスとＣＳＩ参照プロセスのＮＺＰ  ＣＳＩ−ＲＳのポートの数が８であり、及び両者にいずれもＲＩフィードバック及び周期的フィードバックが設定された場合、前記現在のＣＳＩプロセスには前記対応するＣＳＩ参照プロセスと同一のフィードバックモード及び／又はフィードバックタイプが設定されている、又は
前記基地局が現在のＣＳＩプロセスのために対応するＣＳＩ参照プロセスを設定し、且つ前記ＣＳＩプロセスとＣＳＩ参照プロセスのＮＺＰ  ＣＳＩ−ＲＳのポートの数が８であり、及び両者にいずれもＲＩフィードバック及び周期的フィードバック物理アップリンク制御チャンネル（ＰＵＣＣＨ）モード１−１のサブモード１又はＰＵＣＣＨモード２−１を設定した場合、前記現在のＣＳＩプロセスには前記対応するＣＳＩ参照プロセスと同一のフィードバックモード及び／又はフィードバックタイプが設定されている、又は
前記基地局が非周期フィードバックに設定されたＣＳＩプロセスのみにＣＳＩ参照プロセスを設定する場合、前記非周期フィードバックに設定されたＣＳＩプロセスには対応するＣＳＩ参照プロセスと同一のフィードバックモード及び／又はフィードバックタイプが設定されている、又は、
前記基地局が非周期フィードバックに設定されたＣＳＩプロセスのみにＣＳＩ参照プロセスを設定し、且つ該ＣＳＩ参照プロセスも非周期フィードバックのＣＳＩプロセスである場合、前記非周期フィードバックに設定されたＣＳＩプロセスには対応するＣＳＩ参照プロセスと同一のフィードバックモード及び／又はフィードバックタイプが設定されている、又は
前記基地局が現在のＣＳＩプロセスのために対応するＣＳＩ参照プロセスを設定し、且つ前記現在のＣＳＩプロセスがフィードバックモード２−１である場合、前記対応するＣＳＩ参照プロセスには前記現在のＣＳＩプロセスと同一のフィードバックモード及びフィードバックタイプが設定されている、又は
前記基地局が現在のＣＳＩプロセスのために対応するＣＳＩ参照プロセスを設定し、且つ前記現在のＣＳＩプロセスがフィードバックモード１のサブモード１である場合、前記対応するＣＳＩ参照プロセスには前記現在のＣＳＩプロセスと同一のフィードバックモード及びフィードバックタイプが設定されているように設定される請求項１４又は１５に記載の基地局。
【請求項１８】
前記受信モジュールはさらに、
前記基地局がＣＳＩプロセスのＮＺＰ  ＣＳＩ−ＲＳポートの数をいずれも８に設定し、且ついずれもＲＩフィードバック及びＣＳＩ参照プロセスを設定し、ＰＵＣＣＨフィードバックモードが１−１のサブモード１又はＰＵＣＣＨフィードバックモード２−１である場合、又は前記基地局がＣＳＩプロセスのＮＺＰ  ＣＳＩ−ＲＳポートの数をいずれも８に設定し、いずれもＲＩフィードバック及びＣＳＩ参照プロセスを設定し、ＰＵＣＣＨフィードバックモードが１−１のサブモード１又はＰＵＣＣＨフィードバックモード２−１であり、且つ前記ＣＳＩプロセスと設定されたＣＳＩ参照プロセスのＲＩ又はＰＴＩサブフレームが衝突し、又は前記ＣＳＩプロセスと設定されたＣＳＩ参照プロセスのＲＩ又はＰＭＩ０サブフレームが衝突して廃棄された場合、前記基地局は前記ＣＳＩプロセス及び対応するＣＳＩ参照プロセスが同一のフィードバックモード及び／又はフィードバックタイプを有するように設定し、又は
前記基地局がＣＳＩプロセスのＮＺＰ  ＣＳＩ−ＲＳポートの数をいずれも８に設定し、且ついずれもＲＩフィードバック、ＣＳＩ参照プロセス及び周期的フィードバックを設定した場合、又は前記基地局がＣＳＩプロセスのＮＺＰ  ＣＳＩ−ＲＳポートの数をいずれも８に設定し、いずれもＲＩフィードバック、ＣＳＩ参照プロセス及び周期的フィードバックを設定し、且つ前記ＣＳＩプロセスと設定されたＣＳＩ参照プロセスのＲＩ又はＰＴＩサブフレームが衝突し、又は前記ＣＳＩプロセスと設定されたＣＳＩ参照プロセスのＲＩ又はＰＭＩ０サブフレームが衝突して廃棄された場合、前記基地局は前記ＣＳＩプロセス及び対応するＣＳＩ参照プロセスが同一のフィードバックモード及び／又はフィードバックタイプを有するように設定するように設定される請求項１５に記載の基地局。
【請求項１９】
前記受信モジュールは、  
ＣＳＩ参照プロセスと非ＣＳＩ参照プロセスの、ＣＳＩのＲＩ、又はＲＩ及びＰＴＩ、又はＲＩ及びＰＭＩ０をフィードバックするサブフレームが衝突して廃棄された場合、優先的にＣＳＩ参照プロセスに対応するＲＩ、又はＲＩ及びＰＴＩ、又はＲＩ及びＰＭＩ０に従って該ＣＳＩ参照プロセスに対応するＣＳＩプロセスのＣＳＩ報告を受信し、又は
ＣＳＩ参照プロセスと前記ＣＳＩ参照プロセスに対応するＣＳＩプロセスの、ＲＩ、ＲＩ及びＰＴＩ又はＲＩ及びＰＭＩ０をフィードバックするサブフレームが衝突して廃棄された場合、ＣＳＩ参照プロセスに対応するＲＩ、又はＲＩ及びＰＴＩ、又はＲＩ及びＰＭＩ０に従って該ＣＳＩ参照プロセスに対応するＣＳＩプロセスのＣＳＩ報告を受信し、又は
ＣＳＩ参照プロセスのインデックス優先度が前記ＣＳＩ参照プロセスに対応するＣＳＩプロセスより低い場合、且つ両者のＲＩ、又はＲＩ及びＰＴＩ、又はＲＩ及びＰＭＩ０をフィードバックするサブフレームが衝突して廃棄された場合、ＣＳＩ参照プロセスに対応するＲＩ、又はＲＩ及びＰＴＩ、又はＲＩ及びＰＭＩ０に従って該ＣＳＩ参照プロセスに対応するＣＳＩプロセスのＣＳＩ報告を受信し、又はＣＳＩ参照プロセスのインデックス優先度が必ず前記ＣＳＩ参照プロセスに対応するＣＳＩプロセスより大きいように制限し、又は
ＣＳＩ参照プロセスに対応するＲＩ、又はＰＴＩ及びＲＩ、又はＲＩ及びＰＭＩ０と他のＣＳＩプロセスが衝突して廃棄された場合、最近にフィードバックされたＣＳＩ参照プロセスに対応するＲＩ、又はＲＩ及びＰＴＩ、又はＲＩ及びＰＭＩ０に従って該ＣＳＩ参照プロセスに対応するＣＳＩプロセスのＣＳＩ報告を受信し、又は
ＣＳＩ参照プロセスのＲＩサブフレームと前記ＣＳＩ参照プロセスに対応するＣＳＩプロセスのＲＩ又はＰＴＩジョイントコードサブフレームが衝突して廃棄された場合、前記ＣＳＩ参照プロセスのＲＩ及び最近にフィードバックされたＰＴＩ又はＰＴＩ＝０又はＰＴＩ＝１に従って該ＣＳＩ参照プロセスに対応するＣＳＩプロセスのＣＳＩ報告を受信し、又は
ＣＳＩ参照プロセスのＲＩサブフレームと前記ＣＳＩ参照プロセスに対応するＣＳＩプロセスのＲＩ又はＰＭＩ０ジョイントコードサブフレームが衝突して廃棄された場合、前記ＣＳＩ参照プロセスに対応するＲＩ及び前記ＣＳＩプロセスが最近にフィードバックしたＰＭＩ０に従って該ＣＳＩ参照プロセスに対応するＣＳＩプロセスのＣＳＩ報告を受信し、又は
ＣＳＩ参照プロセスのＲＩ又はＰＴＩジョイントコードサブフレームと前記ＣＳＩ参照プロセスに対応するＣＳＩプロセスのＲＩ又はＰＴＩジョイントコードサブフレームが衝突して廃棄された場合、前記ＣＳＩ参照プロセスに対応するＲＩ又はＰＴＩに従って前記ＣＳＩプロセスのＣＳＩ報告を受信し、又は
ＣＳＩ参照プロセスのＲＩ又はＰＴＩジョイントコードサブフレームと前記ＣＳＩ参照プロセスに対応するＣＳＩプロセスのＲＩ又はＰＴＩジョイントコードサブフレームが衝突して廃棄された場合、前記ＣＳＩ参照プロセスに対応するＲＩ及び最近にフィードバックされたＰＴＩに従って前記ＣＳＩプロセスのＣＳＩ報告を受信し、前記ＣＳＩ報告がＰＭＩ及び／又はチャネル品質インジケータ（ＣＱＩ）を含み、又は
ＣＳＩ参照プロセスのＲＩ又はＰＭＩ０ジョイントコードサブフレームと前記ＣＳＩ参照プロセスに対応するＣＳＩプロセスのＲＩ又はＰＭＩ０ジョイントコードサブフレームが衝突して廃棄された場合、前記ＣＳＩ参照プロセスに対応するＲＩ又はＣＱＩに従って前記ＣＳＩプロセスのＣＳＩ報告を受信し、前記ＣＳＩ報告がＰＭＩ及び／又はＣＱＩを含み、又は
ＣＳＩ参照プロセスのＲＩ又はＰＴＩジョイントコードサブフレームと前記ＣＳＩ参照プロセスに対応するＣＳＩプロセスのＲＩ又はＰＭＩ０ジョイントコードサブフレームが衝突して廃棄された場合、前記ＣＳＩ参照プロセスに対応するＲＩ及び最近にフィードバックされたＰＭＩ０に従って前記ＣＳＩプロセスのＣＳＩ報告を受信し、前記ＣＳＩ報告がＰＭＩ及び／又はＣＱＩを含み、又は
ＣＳＩ参照プロセスのＲＩ又はＰＭＩ０ジョイントコードサブフレームと前記ＣＳＩ参照プロセスに対応するＣＳＩプロセスのＲＩ又はＰＭＩ０ジョイントコードサブフレームが衝突して廃棄された場合、前記ＣＳＩ参照プロセスに対応するＲＩ及び最近にフィードバックされたＰＴＩ又はＰＴＩ＝０又はＰＴＩ＝１に従って前記ＣＳＩプロセスのＣＳＩ報告を受信し、又は
ＣＳＩ参照プロセスに対応するＲＩと他のＣＳＩプロセスが衝突して廃棄された場合、最近にフィードバックされた前記ＣＳＩ参照プロセスに対応するＲＩに従って前記ＣＳＩ参照プロセスのＣＳＩ報告を受信し、及び現在のサブフレームに算出されたＲＩに従って前記ＣＳＩプロセスのＣＳＩ報告を受信し、又は
ＣＳＩ参照プロセスに対応するＲＩと他のＣＳＩプロセスが衝突して廃棄された場合、最近にフィードバックされた前記ＣＳＩ参照プロセスに対応するＲＩ又は前記ＣＳＩ参照プロセスに対応するＣＳＩプロセスがフィードバックしたＲＩに従って前記ＣＳＩ参照プロセスのＣＳＩ報告を受信するように設定される請求項１５に記載の基地局。
【請求項２０】
基地局からＣＳＩプロセスを取得するように設定される取得モジュールと、
前記取得モジュールが取得した前記ＣＳＩプロセスの一部又は全部にＣＳＩ参照プロセスを設定された場合、前記端末はＣＳＩ参照プロセスに対応するランクインジケータ（ＲＩ）、又はＲＩ及びプリコーディングタイプインジケータ（ＰＴＩ）、又はＲＩ及びプリコーディングマトリクスインジケータ（ＰＭＩ０）に従って前記ＣＳＩ参照プロセスが設定されたＣＳＩプロセスのＣＳＩ報告を計算するように設定される計算モジュールと、を備える端末。
【請求項２１】
前記計算モジュールはさらに、前記端末がフィードバックした複数のＣＳＩプロセスに対応するＲＩ、又はＲＩ及びＰＴＩ、又はＲＩ及びＰＭＩ０が一部のサブフレーム又は全部のサブフレームにおいて衝突して廃棄された場合、対応するＣＳＩ参照プロセスのＲＩ、又はＲＩ及びＰＴＩ、又はＲＩ及びＰＭＩ０に従って前記ＣＳＩプロセスに対応するＣＳＩ報告を計算するように設定される請求項２０に記載の端末。
【請求項２２】
前記ＣＳＩ報告は、ＰＭＩ、ＣＱＩ、ＰＭＩ０及びＰＭＩ１の１種又は複数種を含む請求項２０又は２１に記載の端末。
【請求項２３】
前記計算モジュールはさらに、
前記端末の１つのＣＳＩプロセスには対応するＣＳＩ参照プロセスが設定された場合、前記端末は前記ＣＳＩプロセスと前記ＣＳＩ参照プロセスが同一のフィードバックモード及び／又はフィードバックタイプを有することを確定し、又は
前記端末の１つのＣＳＩプロセスには対応するＣＳＩ参照プロセス及び周期的フィードバックが設定された場合、前記端末は前記ＣＳＩプロセスと前記ＣＳＩ参照プロセスが同一のフィードバックモード及び／又はフィードバックタイプを有することを確定し、又は
ＣＳＩ参照プロセスと前記ＣＳＩ参照プロセスが設定されたＣＳＩプロセスのノンゼロパワー（ＮＺＰ）チャネル状態情報参照信号（ＣＳＩ−ＲＳ）ポートの数をいずれも８に設定され、且ついずれもＲＩフィードバックが設定された場合、前記端末は前記ＣＳＩプロセスと前記ＣＳＩ参照プロセスが同一のフィードバックモード及び／又はフィードバックタイプを有することを確定し、又は
ＣＳＩ参照プロセスと前記ＣＳＩ参照プロセスが設定されたＣＳＩプロセスのＮＺＰ  ＣＳＩ−ＲＳポートの数がいずれも８に設定され、且ついずれもＲＩフィードバック及び周期的フィードバックが設定された場合、前記端末は前記ＣＳＩプロセスと前記ＣＳＩ参照プロセスが同一のフィードバックモード及び／又はフィードバックタイプを有することを確定し、又は
ＣＳＩプロセスのＮＺＰ  ＣＳＩ−ＲＳポートの数がいずれも８に設定され、且ついずれもＲＩフィードバック及びＣＳＩ参照プロセスが設定され、ＰＵＣＣＨフィードバックモードが１−１のサブモード１又はＰＵＣＣＨフィードバックモード２−１である場合、又はＣＳＩプロセスのＮＺＰ  ＣＳＩ−ＲＳポートの数がいずれも８に設定され、いずれもＲＩフィードバック及びＣＳＩ参照プロセスが設定され、ＰＵＣＣＨフィードバックモードが１−１のサブモード１又はＰＵＣＣＨフィードバックモード２−１であり、且つ前記ＣＳＩプロセスと設定されたＣＳＩ参照プロセスのＲＩ又はＰＴＩサブフレームが衝突し、又はＲＩ又はＰＭＩ０サブフレームが衝突して廃棄された場合、前記端末は前記ＣＳＩプロセスと前記ＣＳＩ参照プロセスが同一のフィードバックモード及び／又はフィードバックタイプを有することを確定し、又は
前記端末が非周期フィードバックに設定された場合、前記端末は設定されたＣＳＩ参照プロセスが、対応するＣＳＩプロセスに対して有効であることを確定し、又は
前記端末が非周期フィードバックに設定され、且つ対応するＣＳＩ参照プロセスも非周期フィードバックのＣＳＩプロセスである場合、前記端末は設定されたＣＳＩ参照プロセスが、対応するＣＳＩプロセスに対して有効であることを確定し、又は
前記端末の１つのＣＳＩプロセスには対応するＣＳＩ参照プロセスが設定され、且つ前記ＣＳＩプロセスがフィードバックモード２−１である場合、前記端末は前記ＣＳＩ参照プロセスと前記ＣＳＩプロセスが同一のフィードバックモード及び／又はフィードバックタイプを有することを確定し、又は
前記端末の１つのＣＳＩプロセスには対応するＣＳＩ参照プロセスが設定され、且つ前記ＣＳＩプロセスがフィードバックモード１のサブモード１である場合、前記端末は、前記ＣＳＩ参照プロセスと前記ＣＳＩプロセスが同一のフィードバックモード及び／又はフィードバックタイプを有することを確定するように設定される請求項２０又は２１に記載の端末。
【請求項２４】
前記計算モジュールは、  
ＣＳＩ参照プロセスと非ＣＳＩ参照プロセスの、ＣＳＩのＲＩ、又はＲＩ及びＰＴＩ、又はＲＩ及びＰＭＩ０をフィードバックするサブフレームが衝突して廃棄された場合、優先的にＣＳＩ参照プロセスに対応するＲＩ、又はＲＩ及びＰＴＩ、又はＲＩ及びＰＭＩ０をフィードバックし、又は
ＣＳＩ参照プロセスと前記ＣＳＩ参照プロセスに対応するＣＳＩプロセスの、ＲＩ、ＲＩ及びＰＴＩ、又はＲＩ及びＰＭＩ０をフィードバックするサブフレームが衝突して廃棄された場合、優先的にＣＳＩ参照プロセスに対応するＲＩ、ＲＩ及びＰＴＩ、又はＲＩ及びＰＭＩ０をフィードバックし、又は
ＣＳＩ参照プロセスのインデックス優先度が前記ＣＳＩ参照プロセスに対応するＣＳＩプロセスより低い場合、且つ両者の、ＲＩ、ＲＩ及びＰＴＩ又はＲＩ及びＰＭＩ０をフィードバックするサブフレームが衝突して廃棄された場合、優先的にＣＳＩ参照プロセスに対応するＲＩ、又はＲＩ及びＰＴＩ、又はＲＩ及びＰＭＩ０をフィードバックし、又はＣＳＩ参照プロセスのインデックス優先度が必ず前記ＣＳＩプロセスより大きいように制限し、又は
ＣＳＩ参照プロセスに対応するＲＩ、ＲＩ又はＰＴＩ、又はＲＩ及びＰＭＩ０と他のＣＳＩプロセスが衝突して廃棄された場合、ＣＳＩ参照プロセスと前記ＣＳＩ参照プロセスに対応するＣＳＩプロセスのＣＳＩ報告は最近にフィードバックされたＣＳＩ参照プロセスのＲＩ、又はＲＩ及びＰＴＩ、又はＲＩ及びＰＭＩ０に従ってＣＳＩ報告の計算を行い、又は
ＣＳＩ参照プロセスのＲＩサブフレームと前記ＣＳＩ参照プロセスに対応するＣＳＩプロセスのＲＩ又はＰＴＩジョイントコードサブフレームが衝突して廃棄された場合、ＣＳＩ参照プロセスのＲＩ及び最近にフィードバックされたＰＴＩ又はＰＴＩ＝０又はＰＴＩ＝１に従って前記ＣＳＩプロセスのＣＳＩ報告を計算し、且つ前記ＣＳＩ参照プロセスのＲＩをフィードバックし、又は
ＣＳＩ参照プロセスのＲＩサブフレームと前記ＣＳＩ参照プロセスに対応するＣＳＩプロセスのＲＩ又はＰＭＩ０ジョイントコードサブフレームが衝突して廃棄された場合、ＣＳＩ参照プロセスのＲＩ及び前記ＣＳＩプロセスが最近にフィードバックしたＰＭＩ０に従って前記ＣＳＩプロセスのＣＳＩ報告を計算し、且つ前記ＣＳＩ参照プロセスのＲＩをフィードバックし、又は
ＣＳＩ参照プロセスと前記ＣＳＩ参照プロセスに対応するＣＳＩプロセスのＲＩ又はＰＴＩジョイントコードサブフレームが衝突して廃棄された場合、ＣＳＩ参照プロセスのＲＩ又はＰＴＩに従ってＣＳＩプロセスのＣＳＩ報告を計算し、且つＣＳＩ参照プロセスのＲＩ又はＰＴＩ及び計算された前記ＣＳＩ報告をフィードバックし、又は
ＣＳＩ参照プロセスと前記ＣＳＩ参照プロセスに対応するＣＳＩプロセスのＲＩ又はＰＴＩジョイントコードサブフレームが衝突して廃棄された場合、ＣＳＩ参照プロセスのＲＩ及び最近にフィードバックされたＰＴＩに従ってＣＳＩ報告を計算し、且つ前記ＣＳＩ参照プロセスのＲＩ又はＰＴＩ、及び計算された前記ＣＳＩ報告をフィードバックし、前記ＣＳＩ報告がＰＭＩ及び／又はチャネル品質インジケータ（ＣＱＩ）を含み、又は
ＣＳＩ参照プロセスと前記ＣＳＩ参照プロセスに対応するＣＳＩプロセスのＲＩ又はＰＭＩ０ジョイントコードサブフレームが衝突して廃棄された場合、ＣＳＩ参照プロセスのＲＩ又はＰＭＩ０に従ってＣＳＩ報告を計算し、且つ前記ＣＳＩ参照プロセスのＲＩ又はＰＭＩ０、及び計算された前記ＣＳＩ報告をフィードバックし、前記ＣＳＩ報告がＰＭＩ及び／又はＣＱＩを含み、又は
ＣＳＩ参照プロセスのＲＩ又はＰＴＩジョイントコードサブフレームと前記ＣＳＩ参照プロセスに対応するＣＳＩプロセスのＲＩ又はＰＭＩ０ジョイントコードサブフレームが衝突して廃棄された場合、ＣＳＩ参照プロセスのＲＩ及び最近にフィードバックされたＰＭＩ０に従って前記ＣＳＩプロセスのＣＳＩ報告を計算し、且つ前記ＣＳＩ参照プロセスのＲＩ又はＰＴＩ、及び計算された前記ＣＳＩ報告をフィードバックし、前記ＣＳＩ報告がＰＭＩ及び／又はＣＱＩを含み、又は
ＣＳＩ参照プロセスと前記ＣＳＩ参照プロセスに対応するＣＳＩプロセスのＲＩ又はＰＭＩ０ジョイントコードサブフレームが衝突して廃棄された場合、ＣＳＩ参照プロセスのＲＩ及び最近にフィードバックされたＰＴＩ又はＰＴＩ＝０又はＰＴＩ＝１に従って前記ＣＳＩプロセスのＣＳＩ報告を計算し、且つ前記ＣＳＩ参照プロセスのＲＩ又はＰＴＩ、及び計算された前記ＣＳＩ報告をフィードバックし、又は
ＣＳＩ参照プロセスに対応するＲＩと他のＣＳＩプロセスが衝突して廃棄された場合、最近にフィードバックされたＣＳＩ参照プロセスのＲＩに従ってＣＳＩ参照プロセスのＣＳＩ報告の計算及びフィードバックを行い、前記ＣＳＩ参照プロセスに対応するＣＳＩプロセスは現在のサブフレームに算出されたＲＩに従って前記ＣＳＩプロセスのＣＳＩ報告の計算及びフィードバックを行い、又は
ＣＳＩ参照プロセスに対応するＲＩと他のＣＳＩプロセスが衝突して廃棄された場合、最近にフィードバックされたＣＳＩ参照プロセスのＲＩ又は前記ＣＳＩ参照プロセスに対応するＣＳＩプロセスがフィードバックしたＲＩに従って前記ＣＳＩ参照プロセスのＣＳＩを計算してフィードバックするように設定される請求項２３に記載の端末。
【請求項２５】
前記計算モジュールは、前記端末の１つのＣＳＩプロセスに、対応するＣＳＩ参照プロセスが設定された場合、前記対応するＣＳＩ参照プロセスのＲＩに従ってＰＭＩ及びＣＱＩを更新するように設定される請求項２０又は２１に記載の端末。
【請求項２６】
前記計算モジュールは、前記ＣＳＩプロセスのＰＭＩ又はＰＭＩ０フィードバックサブフレームにおいて、最近のＣＳＩ参照プロセスがフィードバックしたＲＩに従ってＰＭＩ及びＣＱＩの計算更新を行い、又は、前記ＣＳＩプロセスのＲＩフィードバックサブフレームにおいて、最近のＣＳＩ参照プロセスがフィードバックしたＲＩに従ってＰＭＩ及びＣＱＩの計算更新を行うように設定される請求項２５に記載の端末。
【発明の詳細な説明】
【技術分野】
【０００１】
本発明はチャネル状態情報フィードバック技術に関し、特にチャネル状態情報の処理方法、基地局及び端末に関する。
【背景技術】
【０００２】
ロングタームエボリューション（ＬＴＥ、Ｌｏｎｇ  Ｔｅｒｍ  Ｅｖｏｌｕｔｉｏｎ）システムは、Ｒ８／９／１０のいくつかのバージョンに続き、またＲ１１技術が提案されている。現在、一部のＲ８製品は次第にビジネス化され、Ｒ９及びＲ１０は製品のこれからの企画が期待されている。
【０００３】
Ｒ８及びＲ９の段階を経て、Ｒ１０はＲ８及びＲ９の上に、新しい特性、例えば復調用参照信号（ＤＭＲＳ、Ｄｅｍｏｄｕｌａｔｉｏｎ  Ｒｅｆｅｒｅｎｃｅ  Ｓｉｇｎａｌ）、チャネル状態情報参照信号（ＣＳＩ−ＲＳ、Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）等のパイロット特性、８アンテナサポート等の伝送とフィードバック特性等が加えられ、特にセル間干渉相殺補強（ｅＩＣＩＣ、ｅｎｈａｎｃｅｄ  Ｉｎｔｅｒ−Ｃｅｌｌ  Ｉｎｔｅｒｆｅｒｅｎｃｅ  Ｃａｎｃｅｌｌｉｎｇ）技術は、Ｒ８／９  ＩＣＩＣを考慮した上に、セル間の干渉を回避する技術が考慮に入っている。セル間干渉という課題を解決する技術として、Ｒ１０段階の初期に、主に同型のネットワークのセル干渉回避が考えられ、主要技術としてｅＩＣＩＣ技術とマルチポイント協調（ＣｏＭＰ、Ｃｏｏｒｄｉｎａｔｅｄ  Ｍｕｌｔｉ−ｐｏｉｎｔ）技術を考慮した。ＣｏＭＰとは複数ノードが協調して、１つ又は複数のＵＥに同一の時間周波数リソース又は異なる時間周波数リソースにおいてデータを送信するものである。該技術はセル間の干渉を減少し、セルエッジのスループット率を向上させ、セルカバレッジを拡大することができる。しかしながら、検討の後期に異種ネットワークにてより多くのシーンが導入される場合、ＣｏＭＰ技術の複雑性及びＲ１０の検討する時間の制限を考慮した結果、Ｒ１０段階で余分のＣｏＭＰ標準化内容を導入しないが、ＣＳＩ−ＲＳを設計する時にＣｏＭＰ部分のニーズを考えることにしたので、ＣｏＭＰ技術は６０ｂｉｓ会議以降、さらなる検討が行われていない。
【０００４】
Ｒ１１検討初期研究段階（ＳＩ、Ｓｔｕｄｙ  Ｉｔｅｍ）は、主に計画シーン及びＣｏＭＰの各種伝送技術で統一の評定構造を確定し、２段階のＣｏＭＰ評定によりＣｏＭＰ技術が著しい性能ゲインを取得できることを証明する。最近に完了したＣｏＭＰ  ＳＩ結論はＣｏＭＰ技術におけるジョイント伝送（ＪＴ、Ｊｏｉｎｔ  Ｔｒａｎｓｍｉｓｓｉｏｎ）、動的セル選択（ＤＰＳ、Ｄｙｎａｍｉｃ  Ｐｏｉｎｔ  Ｓｅｌｅｃｔｉｏｎ）、協調スケジューリング（ＣＳ、Ｃｏｏｒｄｉｎａｔｅｄ  Ｓｃｈｅｄｕｌｉｎｇ）、協調ビームフォーミング（ＣＢ、Ｃｏｏｒｄｉｎａｔｅｄ  Ｂｅａｍｆｏｒｍｉｎｇ）を更に研究する必要があることである。
【０００５】
ＣｏＭＰの各種技術を研究する前、まずＣｏＭＰ技術がＲ８／９／１０技術に対してどのような区別を有するかを考慮する必要があり、そのうち、ＣｏＭＰの制御シグナリングがどのようにＣｏＭＰ測定集合の通知をサポートするか、どのようにＣｏＭＰの異なる伝送技術のニーズをサポートするか、ＵＥがどのように複数のノードのチャネル情報（ＣＳＩ、Ｃｈａｎｎｅｌ  Ｓｔａｔｅ  Ｉｎｆｏｒｍａｔｉｏｎ）を測定して報告するか等を含む。そのうち、ＵＥがどのように複数のノードのＣＳＩを測定して報告するかのはＣｏＭＰ技術において解決すべき主要な問題の一つである。ＣｏＭＰのフィードバックは、従来の検討では、主に周期的フィードバックと非周期的フィードバック、集約チャネル情報フィードバックと非集約チャネル情報フィードバックに分けられる。集約チャネル情報フィードバックとは、複数のノードのチャネル情報を１つのノードのチャネル情報に集約してグローバルフィードバックを行うことである。測定集合が２つのノードを含み、ノード１のチャネル情報がＨ１、ノード２のチャネル情報がＨ２である場合、ＵＥはまず２つのノードチャネルを１つの大きなチャネル情報Ｈ＝［Ｈ１；Ｈ２］に集約し、次に測定の関連計算を行ってフィードバックする。非集約チャネル情報フィードバックはさらに独立シングルセルフィードバックと独立シングルセルフィードバックプラスセル間補正情報に分けられてもよい。独立シングルセルフィードバックとは、各ノードのチャネル情報に従って独立に測定の関連計算を行ってフィードバックすることである。独立シングルセルフィードバックプラスセル間補正情報とは、各ノードのチャネル情報に従って独立に測定の関連計算を行い、且つ各ノード間の位相及び／又は幅情報を計算してフィードバックすることである。集約チャネル情報に対して、そのうち、集約チャネル品質インジケータ（ＣＱＩ、Ｃｈａｎｎｅｌ  Ｑｕａｌｉｔｙ  Ｉｎｄｉｃａｔｏｒ）のフィードバックを含み、集約ＣＱＩはＵＥ側がフィードバックしたＣＱＩが１つ又は複数のＣＳＩ−ＲＳ設定情報に対応して測定を行う集約ＣＱＩを指し、ＵＥは複数のＣＳＩ−ＲＳ設定情報を利用して対応するＣＳＩ−ＲＳの時間周波数位置を見つけ、それにより測定を行ってプリコーディング重み情報、及び他のパイロットを利用して取得した干渉情報を取得して計算し、この場合、ＵＥは１つ又は複数のＣＳＩ−ＲＳ設定情報に対応するノードがデータをＵＥに送信すると仮定し、それにより該複数のノードがジョイント伝送を行うことに対応するＣＱＩ値を取得する。１つの集約ＣＱＩが１つ又は複数のＣＳＩ−ＲＳ設定情報に対応して測定の集約を行い、例えば測定集合が３つのＣＳＩ−ＲＳ設定情報を含む恐れがあるため、この場合、１つのＣＳＩ−ＲＳ設定情報を集約することは３種の可能性があり、２つのＣＳＩ−ＲＳ設定情報を集約することは３種の可能性があり、３つのＣＳＩ−ＲＳ設定情報を集約することは１種の可能性があり、合計で７種の可能性があり、従ってＣＱＩの集約に対して複数種の可能性があり、集約可能と呼ばれる可能性は１種もない。
【０００６】
従来のＲ８／Ｒ９／Ｒ１０ユーザに対して、サービスセルのＣＳＩのみをフィードバックすればよいため、同一の搬送波に、周期的フィードバックと非周期フィードバックに対して、シングルセルの数のみを考慮すればよく、特に物理アップリンク制御チャンネル（ＰＵＣＣＨ、Ｐｈｙｓｉｃａｌ  Ｕｐｌｉｎｋ  Ｃｏｎｔｒｏｌ  Ｃｈａｎｎｅｌ）に対して、シングルセルのフィードバックを最適化させるだけでよい。現在、コーディング、ハイブリッド適応型要求の再送信（ＨＡＲＱ、Ｈｙｂｒｉｄ  Ａｄａｐｔｉｖｅ  Ｒｅｑｕｅｓｔ  Ｒｅｔｒａｎｓｍｉｓｓｉｏｎ）ビット数等を考慮に入れて、１つのＵＥに対して、１つの物理アップリンク制御チャンネルＰＵＣＣＨアップリンクサブフレームに最大として１１ビットのＣＳＩフィードバックをサポートする。１１ビットの構成は最大として４ビットのプリコーディングマトリクスインジケータ（ＰＭＩ、Ｐｒｅｃｏｄｉｎｇ  Ｍａｔｒｉｘ  Ｉｎｄｉｃａｔｏｒ）と２つのコードワードの７ビットのチャネル品質インジケータ（ＣＱＩ、Ｃｈａｎｎｅｌ  Ｑｕａｌｉｔｙ  Ｉｎｄｉｃａｔｏｒ）（異なるコードワード間のＣＱＩの差分フィードバックを考慮する）を考慮することができる。ＣｏＭＰは複数のセルに対するＣＳＩフィードバックを考慮する必要があるため、Ｎ＊１１ビットのＰＵＣＣＨ容量能力を要求し、しかしながら、従来のＰＵＣＣＨ容量はこの要求を満たすことができず、従って、ＰＵＣＣＨ容量が不十分であるという問題を解決する合理的なフィードバック案が必要である。容易に想到し得ることはフィードバックシグナリングを圧縮することであるが、ＣｏＭＰはＣＳＩの精度に対する要求が高く、特にＪＴひいてはＪＴ−ＭＵはいずれもＣＳＩ精度に対して高い要求を要求し、従って、圧縮に起因する性能損失はＣｏＭＰ性能ゲインの低下をもたらす恐れがある。別の考慮は、ＰＵＣＣＨの容量を向上させることであり、ＰＵＣＣＨのフィードバックフォーマットを再設計する必要があり、このように標準化への取り組みを大きく推進するにちがいない。ＣｏＭＰの異なるモードのＣＳＩフィードバックへの要求の相違及び異なるモードの適応型切り替えの保証の必要性を考慮すると、このようなフィードバック設計はより複雑になる。従って、検討では、協調伝送モードの柔軟的な切り替えを保証できるノード間の情報を導入し、及び／又は集約ＣＱＩの概念を導入することを考慮している。前回の会議に、集約ＣＱＩがノード間の情報及び集約ＣＱＩを導入することと類似する性能を取得することができることが検討され、この場合、追加のノード間の情報のフィードバックを導入しておらず、現在、会議は、ノード情報のフィードバックを導入するかどうかを検討し続けている。しかしながら、上記の２種の方案はいずれも集約ＣＱＩの概念の導入を考慮した。集約ＣＱＩの概念は、複数のノードの集約が生じたＣＱＩ値をフィードバックすることであり、集約されるノードの数は測定集合内の全部のノードの任意の数のノードの組合せであってもよく、例えば測定集合に６つのノードを含むと、可能な組合せは６３種を含み、最大の集約ノードの数を制限することを考慮すると、組合せは４１種の可能性を含む。ＵＥが各種状況の複数の集���ＣＱＩを１回フィードバックし、又は複数のサブフレームが各種状況の複数の集約ＣＱＩをフィードバックすると、基地局側は、ＵＥがフィードバックするのがどれらのノードの組合せであるかを知る必要があり、この点について、基地局側とＵＥ側に統一の規定が必要であり、さもないと、基地局側は、フィードバックを受信する集約ＣＱＩ及びどれらのノードの組合せを知ることができない。
【０００７】
Ｒ１０のフィードバックに対して、主に周期フィードバックと非周期フィードバックに分けることができる。
【０００８】
非周期フィードバックに対して、アップリンク許可又はランダムアクセス許可制御シグナリングで非周期フィードバックをトリガーする必要がある。非周期フィードバックモードは表１に示され、下記のいくつかの種類に分けることができる。
【表１】
2015537451.tif 000003
【０００９】
非周期の報告モードは上位層シグナリングｃｑｉ−ＲｅｐｏｒｔＭｏｄｅＡｐｅｒｉｏｄｉｃにより端末側に設定される。
【００１０】
基地局側は端末側が伝送モード３、４、８及び９を用いるように設定する場合、プリコーディングマトリクスインジケータ（ＰＭＩ）／ランクインジケータ（ＲＩ）フィードバック設定を有する時のみにＲＩのフィードバックを必要とする。広帯域フィードバックモード１−２に対して、端末側が複数のサブバンドＰＭＩ及び複数のサブバンドＰＭＩに基づいて算出した広帯域ＣＱＩをフィードバックする必要があり、上位層が設定したサブバンドＣＱＩに対して、モード３−０及びモード３−１を含み、モード３−０に対して、端末側は１つの広帯域のＣＱＩ及び複数のサブバンドＣＱＩをフィードバックする必要があり、且つ広帯域ＣＱＩ及びサブバンドＣＱＩはいずれもコードワードに基づいて計算され、伝送モード３に対して、ＣＱＩの計算は異なるＲＩの値を考慮する必要があり、モード３以外の伝送モードに対して、いずれもＲＩ＝１としてＣＱＩを計算する。モード３−１に対して、端末側は１つの広帯域のＰＭＩをフィードバックし、次にフィードバックされた広帯域ＰＭＩに基づいてそれぞれ１つの広帯域ＣＱＩ及び複数のサブバンドＣＱＩを計算してフィードバックする必要があり、そのうち、ＣＱＩの計算は伝送モード４、８、９に対して、ＲＩの値に基づいて確定され、他の伝送モードに対して、ＲＩの値が１に等しいことでＣＱＩの計算値を確定する。モード３−０とモード３−１のサブバンドＣＱＩに対して、差分フィードバックを採用する。ＵＥが選択したサブバンドフィードバックはモード２−０及び２−２を含む。モード２−０に対して、端末側はＭ個の好ましい（Ｐｒｅｆｅｒ）サブバンドが共用する１つのＣＱＩ及び１つの広帯域ＣＱＩをフィードバックする必要があり、伝送モード３に対して、ＣＱＩの計算は異なるＲＩの値を考慮する必要がり、モード３以外の伝送モードに対して、いずれもＲＩ＝１としてＣＱＩを計算する。モード２−２に対して、端末側は１つのＭ個のＰｒｅｆｅｒサブバンドのＰＭＩ及び１つの広帯域のＰＭＩをフィードバックする必要があり、さらに１つのＭ個のＰｒｅｆｅｒサブバンドのＣＱＩ（１つのＭ個のＰｒｅｆｅｒサブバンドのＰＭＩに基づいて計算する）及び１つの広帯域ＣＱＩ（１つの広帯域のＰＭＩに基づいて計算する）をフィードバックする必要がある。
【００１１】
周期フィードバックは上位層で半静的に設定され、表２に示すように、下記のいくつかの種類に分けることができる。
【表２】
2015537451.tif 000004
【００１２】
伝送モード９に対して、８つのＣＳＩ−ＲＳアンテナポートが配置された端末では、モード１−１はサブモード１とサブモード２に分けられることができ、異なるサブモードは上位層シグナリングＰＵＣＣＨ＿ｆｏｒｍａｔ１−１＿ＣＳＩ＿ｒｅｐｏｒｔｉｎｇ＿ｍｏｄｅで設定される。
【００１３】
周期的フィードバックは下記の分類によって異なるフィードバックサイクル及びサブフレームオクセットフィードバックタイプを区別することができる。
Ｔｙｐｅ  １はＵＥが選択したサブバンドＣＱＩを報告する。
Ｔｙｐｅ  １ａはサブバンドＣＱＩ及び二つ目のＰＭＩを報告する。
Ｔｙｐｅ  ２、Ｔｙｐｅ  ２ｂ及びＴｙｐｅ  ２ｃは広帯域ＣＱＩ及びＰＭＩを報告する。
Ｔｙｐｅ  ２ａは広帯域ＰＭＩフィードバックを報告する。
Ｔｙｐｅ  ３はＲＩを報告する。
Ｔｙｐｅ  ４は広帯域ＣＱＩを報告する。
Ｔｙｐｅ  ５はＲＩ及び広帯域ＰＭＩを報告する。
Ｔｙｐｅ  ６はＲＩ及びプリコーディングタイプインジケータ（ＰＴＩ）を報告する。
【００１４】
広帯域フィードバックはモード１−０、モード１−１を含む。そのうち、モード１−１は更にサブモード１とサブモード２に分けられる。モード１−０に対して、端末側は伝送モード３に対して１つのＴｙｐｅ３のＲＩ及び１つのＴｙｐｅ４の広帯域ＣＱＩをフィードバックする。モード１−１に対して、伝送モード９に８つのＣＳＩ−ＲＳポートが配置されている以外、他の伝送モードは、１つのＴｙｐｅ３のＲＩ及びＴｙｐｅ２の広帯域ＣＱＩ及び広帯域ＰＭＩをフィードバックする。伝送モード９に８つのＣＳＩ−ＲＳポートが配置されているモード１−１のサブモード１に対して、端末側はＴｙｐｅ５のＲＩと一つ目の広帯域ＰＭＩのジョイントコード及びＴｙｐｅ２ｂ広帯域ＣＱＩと二つ目の広帯域ＰＭＩのジョイントコードをフィードバックする。伝送モード９に８つのＣＳＩ−ＲＳポートが配置されているモード１−１のサブモード２に対して、端末側は１つのＴｙｐｅ３のＲＩ及びＴｙｐｅ２ｃの広帯域ＣＱＩ、一つ目の広帯域ＰＭＩと二つ目の広帯域ＰＭＩのジョイントコードをフィードバックする。ＵＥが選択したサブバンドＣＱＩに対して、モード２−０とモード２−１を含む。モード２−０に対して、端末側は、伝送モード３に対して１つのＴｙｐｅ３のＲＩ及びＴｙｐｅ４の広帯域ＣＱＩ並びにＴｙｐｅ１帯域幅部分におけるサブバンドＣＱＩをフィードバックする。伝送モード２−１に対して、伝送モード９に８つのＣＳＩ−ＲＳポートが配置されている以外、他の伝送モードに１つのＴｙｐｅ３のＲＩ及びＴｙｐｅ２の広帯域ＣＱＩとＰＭＩのジョイントコード及びＴｙｐｅ１の帯域幅部分におけるサブバンドＣＱＩをフィードバックする。伝送モード９に８つのＣＳＩ−ＲＳポートが配置されているモード２−１に対して、１つのＴｙｐｅ６のＰＴＩとＲＩのジョイントコードをフィードバックする。次に、ＰＴＩの値に基づいて、更にフィードバック方式を選択し、ＰＴＩ＝０である場合、１つのＴｙｐｅ２ａの広帯域の一つ目のＰＭＩをフィードバックし、次に１つのＴｙｐｅ２ｂ広帯域のＣＱＩと二つ目の広帯域ＰＭＩのジョイントコードをフィードバックし、ＰＴＩ＝１である場合、１つのＴｙｐｅ２ｂの広帯域ＣＱＩと二つ目の広帯域ＰＭＩのジョイントコードをフィードバックし、次に１つの１ａのサブバンドＣＱＩと二つ目のサブバンドＰＭＩのジョイントコードをフィードバックする。
【００１５】
Ｒ１１のＣｏＭＰに対してＵＥが複数のＣＳＩ−ＲＳリソースのチャネル状態情報をフィードバックする必要があることを考慮に入れて、ＵＥは、所定のフィードバック規則に従って複数のＣＳＩのフィードバックを行うべきであり、そのうち、フィードバック規則を考慮する場合、一方では、できるだけアップリンクのフィードバックオーバヘッドを減少することを考慮する必要があり、他方では、できるだけ簡単で統一的な方式でフィードバックを行い、可能なフィードバック情報の衝突の確率を減少することを考慮する必要がある。しかしながら、従来、ＣＳＩのフィードバック規則が検討段階にあるため、参考が可能な関連技術を提供することができない。
【発明の概要】
【発明が解決しようとする課題】
【００１６】
本発明の実施例はチャネル状態情報の処理方法、基地局及び端末を提供しており、従来のＵＥが複数のＣＳＩフィードバックを行うフィードバック規則がないという問題を解決する。
【課題を解決するための手段】
【００１７】
本発明の実施例はチャネル状態情報（ＣＳＩ）の処理方法を提供しており、該方法は、
基地局が端末に複数のＣＳＩのプロセスを設定し、各ＣＳＩプロセスが少なくともチャネル測定部分の情報及び干渉測定部分の情報を含むことと、
前記基地局が一部又は全部のＣＳＩプロセスにその対応するＣＳＩ参照プロセスを設定した場合、ＣＳＩ参照プロセスを設定することにより、少なくとも、ＣＳＩ報告を計算するためのＣＳＩプロセスのランクインジケータ（ＲＩ）とＣＳＩ参照プロセスのＲＩとが一致するように制限し、前記基地局はＣＳＩ参照プロセスが設定されたＣＳＩプロセスに対して、ＣＳＩ参照プロセスに対応するＲＩ、又はＲＩ及びプリコーディングタイプインジケータ（ＰＴＩ）、又はＲＩ及びプリコーディングマトリクスインジケータ（ＰＭＩ０）に従ってＣＳＩプロセスのＣＳＩ報告を受信することと、を含む。
【００１８】
好ましくは、該方法は、前記基地局が設定した複数のＣＳＩプロセスに対応するＲＩ、又はＲＩ及びＰＴＩ、又はＲＩ及びＰＭＩ０は一部のサブフレーム又は全部のサブフレームに衝突して廃棄された場合、前記基地局はＣＳＩプロセスに対応するＣＳＩ参照プロセスのＲＩ、又はＲＩ及びＰＴＩ、又はＲＩ及びＰＭＩ０に従って該ＣＳＩプロセスのＣＳＩ報告を受信することをさらに含む。
【００１９】
好ましくは、前記ＲＩ及びＰＴＩは、前記ＲＩと前記ＰＴＩを同一のサブフレームに伝送する設定状況を指し、
前記ＲＩ及びＰＭＩ０は、前記ＲＩ及び前記ＰＭＩ０が同一のサブフレームにジョイントコーディングして伝送される設定状況を指す。
【００２０】
好ましくは、前記基地局が一部又は全部のＣＳＩプロセスにその対応するＣＳＩ参照プロセスを設定した場合、ＣＳＩ参照プロセスを設定することにより、少なくとも、ＣＳＩ報告を計算するためのＣＳＩプロセスのＲＩとＣＳＩ参照プロセスのフィードバックのＲＩとが一致するように制限することは、
前記基地局が現在のＣＳＩプロセスにその対応するＣＳＩ参照プロセスを設定した場合、前記ＣＳＩプロセスには前記対応するＣＳＩ参照プロセスと同一のフィードバックモード及び／又はフィードバックタイプが設定されたこと、又は
前記基地局が現在のＣＳＩプロセスにその対応するＣＳＩ参照プロセス及び周期的フィードバックを設定した場合、前記現在のＣＳＩプロセスには前記対応するＣＳＩ参照プロセスと同一のフィードバックモード及び／又はフィードバックタイプが設定されたこと、又は
前記基地局が現在のＣＳＩプロセスにその対応するＣＳＩ参照プロセスを設定し、且つ前記ＣＳＩプロセス及び前記対応するＣＳＩ参照プロセスのノンゼロパワー（ＮＺＰ）チャネル状態情報参照信号（ＣＳＩ−ＲＳ）のポートの数が８であり、及び両者にいずれもＲＩフィードバックを設定した場合、前記現在のＣＳＩプロセスには前記対応するＣＳＩ参照プロセスと同一のフィードバックモード及び／又はフィードバックタイプが設定されたこと、又は
前記基地局が現在のＣＳＩプロセスにその対応するＣＳＩ参照プロセスを設定し、且つ前記ＣＳＩプロセスとＣＳＩ参照プロセスのＮＺＰ  ＣＳＩ−ＲＳのポートの数が８であり、及び両者にいずれもＲＩフィードバック及び周期的フィードバックを設定した場合、前記現在のＣＳＩプロセスには前記対応するＣＳＩ参照プロセスと同一のフィードバックモード及び／又はフィードバックタイプが設定されたこと、又は
前記基地局が現在のＣＳＩプロセスにその対応するＣＳＩ参照プロセスを設定し、且つ前記ＣＳＩプロセスとＣＳＩ参照プロセスのＮＺＰ  ＣＳＩ−ＲＳのポートの数が８であり、及び両者にいずれもＲＩフィードバック及び周期的フィードバック物理アップリンク制御チャンネル（ＰＵＣＣＨ）モード１−１のサブモード１又はＰＵＣＣＨモード２−１を設定した場合、前記現在のＣＳＩプロセスには前記対応するＣＳＩ参照プロセスと同一のフィードバックモード及び／又はフィードバックタイプが設定されたこと、又は
前記基地局が非周期フィードバックに設定されたＣＳＩプロセスのみにＣＳＩ参照プロセスを設定した場合、前記非周期フィードバックに設定されたＣＳＩプロセスには対応するＣＳＩ参照プロセスと同一のフィードバックモード及び／又はフィードバックタイプが設定されたこと、又は、
前記基地局が非周期フィードバックに設定されたＣＳＩプロセスのみにＣＳＩ参照プロセスを設定し、且つ該ＣＳＩ参照プロセスも非周期フィードバックのＣＳＩプロセスである場合、前記非周期フィードバックに設定されたＣＳＩプロセスには対応するＣＳＩ参照プロセスと同一のフィードバックモード及び／又はフィードバックタイプが設定されたこと、又は
前記基地局が現在のＣＳＩプロセスにその対応するＣＳＩ参照プロセスを設定し、且つ前記現在のＣＳＩプロセスがフィードバックモード２−１である場合、前記対応するＣＳＩ参照プロセスには前記現在のＣＳＩプロセスと同一のフィードバックモード及びフィードバックタイプが設定されたこと、又は
前記基地局が現在のＣＳＩプロセスにその対応するＣＳＩ参照プロセスを設定し、且つ前記現在のＣＳＩプロセスがフィードバックモード１のサブモード１である場合、前記対応するＣＳＩ参照プロセスには前記現在のＣＳＩプロセスと同一のフィードバックモード及びフィードバックタイプが設定されたことを含む。
【００２１】
好ましくは、該方法は、
前記基地局がＣＳＩプロセスのＮＺＰ  ＣＳＩ−ＲＳポートの数をいずれも８に設定し、且ついずれもＲＩフィードバック及びＣＳＩ参照プロセスを設定し、ＰＵＣＣＨフィードバックモードが１−１のサブモード１又はＰＵＣＣＨフィードバックモード２−１である場合、又は前記基地局がＣＳＩプロセスのＮＺＰ  ＣＳＩ−ＲＳポートの数をいずれも８に設定し、いずれもＲＩフィードバック及びＣＳＩ参照プロセスを設定し、ＰＵＣＣＨフィードバックモードが１−１のサブモード１又はＰＵＣＣＨフィードバックモード２−１であり、且つ前記ＣＳＩプロセスと設定されたＣＳＩ参照プロセスのＲＩ又はＰＴＩサブフレームが衝突し、又は前記ＣＳＩプロセスと設定されたＣＳＩ参照プロセスのＲＩ又はＰＭＩ０サブフレームが衝突して廃棄された場合、前記基地局は前記ＣＳＩプロセスとその対応するＣＳＩ参照プロセスが同一のフィードバックモード及び／又はフィードバックタイプを有するように設定すること、又は
前記基地局がＣＳＩプロセスのＮＺＰ  ＣＳＩ−ＲＳポートの数をいずれも８に設定し、且ついずれもＲＩフィードバック、ＣＳＩ参照プロセス及び周期的フィードバックを設定した場合、又は前記基地局がＣＳＩプロセスのＮＺＰ  ＣＳＩ−ＲＳポートの数をいずれも８に設定し、いずれもＲＩフィードバック、ＣＳＩ参照プロセス及び周期的フィードバックを設定し、且つ前記ＣＳＩプロセスと設定されたＣＳＩ参照プロセスのＲＩ又はＰＴＩサブフレームが衝突し、又は前記ＣＳＩプロセスと設定されたＣＳＩ参照プロセスのＲＩ又はＰＭＩ０サブフレームが衝突して廃棄された場合、前記基地局は前記ＣＳＩプロセスとその対応するＣＳＩ参照プロセスが同一のフィードバックモード及び／又はフィードバックタイプを有するように設定することを更に含む。
【００２２】
好ましくは、前記基地局が設定したＣＳＩプロセスに対応するＲＩ、又はＲＩ及びＰＴＩ、又はＲＩ及びＰＭＩ０は一部のサブフレーム又は全部のサブフレームに衝突してＣＳＩプロセスの前記サブフレームＲＩ、又はＲＩ及びＰＴＩ、又はＲＩ及びＰＭＩ０は廃棄された場合、前記基地局は、前記ＣＳＩプロセスに対応するＣＳＩ参照プロセスのＲＩ、又はＲＩ及びＰＴＩ、又はＲＩ及びＰＭＩ０に従って該ＣＳＩプロセスのＣＳＩ報告を受信することは、
ＣＳＩ参照プロセスと非ＣＳＩ参照プロセスの、ＣＳＩのＲＩ、又はＲＩ及びＰＴＩ、又はＲＩ及びＰＭＩ０をフィードバックサブフレームが衝突してＣＳＩ参照プロセスの前記サブフレームＲＩ、又はＲＩ及びＰＴＩ、又はＲＩ及びＰＭＩ０が廃棄された場合、前記基地局は優先的にＣＳＩ参照プロセスに対応するＲＩ、又はＲＩ及びＰＴＩ、又はＲＩ及びＰＭＩ０に従って該ＣＳＩ参照プロセスに対応するＣＳＩプロセスのＣＳＩ報告を受信すること、又は
衝突が発生して廃棄された場合、
ＣＳＩ参照プロセスに対応するＲＩ、又はＰＴＩ及びＲＩ、又はＲＩ及びＰＭＩ０と他のＣＳＩプロセスが衝突して廃棄された場合、前記基地局は最近にフィードバックされたＣＳＩ参照プロセスに対応するＲＩ、又はＲＩ及びＰＴＩ、又はＲＩ及びＰＭＩ０に従って該ＣＳＩ参照プロセスに対応するＣＳＩプロセスのＣＳＩ報告を受信すること、又は
ＣＳＩ参照プロセスのＲＩサブフレームと前記ＣＳＩ参照プロセスに対応するＣＳＩプロセスのＲＩ又はＰＴＩジョイントコードサブフレームが衝突して廃棄された場合、前記基地局は、前記ＣＳＩ参照プロセスのＲＩ及び最近にフィードバックされたＰＴＩ又はＰＴＩ＝０又はＰＴＩ＝１に従って該ＣＳＩ参照プロセスに対応するＣＳＩプロセスのＣＳＩ報告を受信すること、又は
ＣＳＩ参照プロセスのＲＩサブフレームと前記ＣＳＩ参照プロセスに対応するＣＳＩプロセスのＲＩ又はＰＭＩ０ジョイントコードサブフレームが衝突して廃棄された場合、前記基地局は前記ＣＳＩ参照プロセスに対応するＲＩ及び前記ＣＳＩプロセスが最近にフィードバックしたＰＭＩ０に従って該ＣＳＩ参照プロセスに対応するＣＳＩプロセスのＣＳＩ報告を受信すること、又は
ＣＳＩ参照プロセスのＲＩ又はＰＴＩジョイントコードサブフレームと前記ＣＳＩ参照プロセスに対応するＣＳＩプロセスのＲＩ又はＰＴＩジョイントコードサブフレームが衝突して廃棄された場合、前記基地局は前記ＣＳＩ参照プロセスに対応するＲＩ又はＰＴＩに従って前記ＣＳＩプロセスのＣＳＩ報告を受信すること、又は
ＣＳＩ参照プロセスのＲＩ又はＰＴＩジョイントコードサブフレームと前記ＣＳＩ参照プロセスに対応するＣＳＩプロセスのＲＩ又はＰＴＩジョイントコードサブフレームが衝突して廃棄された場合、前記基地局は前記ＣＳＩ参照プロセスに対応するＲＩ及び最近にフィードバックされたＰＴＩに従って前記ＣＳＩプロセスのＣＳＩ報告を受信し、前記ＣＳＩ報告がＰＭＩ及び／又はチャネル品質インジケータ（ＣＱＩ）を含むこと、又は
ＣＳＩ参照プロセスのＲＩ又はＰＭＩ０ジョイントコードサブフレームと前記ＣＳＩ参照プロセスに対応するＣＳＩプロセスのＲＩ又はＰＭＩ０ジョイントコードサブフレームが衝突して廃棄された場合、前記基地局は前記ＣＳＩ参照プロセスに対応するＲＩ又はＣＱＩに従って前記ＣＳＩプロセスのＣＳＩ報告を受信し、前記ＣＳＩ報告がＰＭＩ及び／又はＣＱＩを含むこと、又は
ＣＳＩ参照プロセスのＲＩ又はＰＴＩジョイントコードサブフレームと前記ＣＳＩ参照プロセスに対応するＣＳＩプロセスのＲＩ又はＰＭＩ０ジョイントコードサブフレームが衝突して廃棄された場合、前記基地局は前記ＣＳＩ参照プロセスに対応するＲＩ及び最近にフィードバックされたＰＭＩ０に従って前記ＣＳＩプロセスのＣＳＩ報告を受信し、前記ＣＳＩ報告がＰＭＩ及び／又はＣＱＩを含むこと、又は
ＣＳＩ参照プロセスのＲＩ又はＰＭＩ０ジョイントコードサブフレームと前記ＣＳＩ参照プロセスに対応するＣＳＩプロセスのＲＩ又はＰＭＩ０ジョイントコードサブフレームが衝突して廃棄された場合、前記基地局は前記ＣＳＩ参照プロセスに対応するＲＩ及び最近にフィードバックされたＰＴＩ又はＰＴＩ＝０又はＰＴＩ＝１に従って前記ＣＳＩプロセスのＣＳＩ報告を受信すること、又は
ＣＳＩ参照プロセスに対応するＲＩと他のＣＳＩプロセスが衝突して廃棄された場合、前記基地局は最近にフィードバックされた前記ＣＳＩ参照プロセスに対応するＲＩに従って前記ＣＳＩ参照プロセスのＣＳＩ報告を受信し、及び現在のサブフレームに算出されたＲＩに従って前記ＣＳＩプロセスのＣＳＩ報告を受信すること、又は
ＣＳＩ参照プロセスに対応するＲＩと他のＣＳＩプロセスが衝突して廃棄された場合、前記基地局は最近にフィードバックされた前記ＣＳＩ参照プロセスに対応するＲＩ又は前記ＣＳＩ参照プロセスに対応するＣＳＩプロセスがフィードバックしたＲＩに従って前記ＣＳＩ参照プロセスのＣＳＩ報告を受信することを含む。
【００２３】
本発明の実施例は、チャネル状態情報（ＣＳＩ）の処理方法を提供しており、該方法は、
端末は基地局からＣＳＩプロセスを取得し、前記ＣＳＩプロセスの一部又は全部に、ＣＳＩ参照プロセスを設定した場合、前記端末はＣＳＩ参照プロセスに対応するランクインジケータ（ＲＩ）、又はＲＩ及びプリコーディングタイプインジケータ（ＰＴＩ）、又はＲＩ及びプリコーディングマトリクスインジケータ（ＰＭＩ０）に従って前記ＣＳＩ参照プロセスが設定されたＣＳＩプロセスのＣＳＩ報告を計算することを含む。
【００２４】
好ましくは、前記方法は、前記端末がフィードバックした複数のＣＳＩプロセスに対応するＲＩ、又はＲＩ及びＰＴＩ、又はＲＩ及びＰＭＩ０が一部のサブフレーム又は全部のサブフレームに衝突して廃棄された場合、対応するＣＳＩ参照プロセスのＲＩ、又はＲＩ及びＰＴＩ、又はＲＩ及びＰＭＩ０に従って前記ＣＳＩプロセスに対応するＣＳＩ報告を計算することを更に含む。
【００２５】
好ましくは、前記ＣＳＩ報告は、ＰＭＩ、ＣＱＩ、ＰＭＩ０及びＰＭＩ１の１種又は複数種を含む。
【００２６】
好ましくは、前記方法は、
前記端末の１つのＣＳＩプロセスには対応するＣＳＩ参照プロセスを設定した場合、前記端末は前記ＣＳＩプロセスと前記ＣＳＩ参照プロセスが同一のフィードバックモード及び／又はフィードバックタイプを有することを確定すること、又は
前記端末の１つのＣＳＩプロセスには対応するＣＳＩ参照プロセス及び周期的フィードバックを設定した場合、前記端末は前記ＣＳＩプロセスと前記ＣＳＩ参照プロセスが同一のフィードバックモード及び／又はフィードバックタイプを有することを確定すること、又は
ＣＳＩ参照プロセスと前記ＣＳＩ参照プロセスが設定されたＣＳＩプロセスのノンゼロパワー（ＮＺＰ）チャネル状態情報参照信号（ＣＳＩ−ＲＳ）ポートの数をいずれも８に設定し、且ついずれもＲＩフィードバックを設定した場合、前記端末は前記ＣＳＩプロセスと前記ＣＳＩ参照プロセスが同一のフィードバックモード及び／又はフィードバックタイプを有することを確定すること、又は
ＣＳＩ参照プロセスと前記ＣＳＩ参照プロセスが設定されたＣＳＩプロセスのＮＺＰ  ＣＳＩ−ＲＳポートの数をいずれも８に設定し、且ついずれもＲＩフィードバック及び周期的フィードバックを設定した場合、前記端末は前記ＣＳＩプロセスと前記ＣＳＩ参照プロセスが同一のフィードバックモード及び／又はフィードバックタイプを有することを確定すること、又は
ＣＳＩプロセスのＮＺＰ  ＣＳＩ−ＲＳポートの数をいずれも８に設定し、且ついずれもＲＩフィードバック及びＣＳＩ参照プロセスを設定し、物理アップリンク制御チャンネル（ＰＵＣＣＨ）フィードバックモードが１−１のサブモード１又はＰＵＣＣＨフィードバックモード２−１である場合、又はＣＳＩプロセスのＮＺＰ  ＣＳＩ−ＲＳポートの数をいずれも８に設定し、いずれもＲＩフィードバック及びＣＳＩ参照プロセスを設定し、ＰＵＣＣＨフィードバックモードが１−１のサブモード１又はＰＵＣＣＨフィードバックモード２−１であり、且つ前記ＣＳＩプロセスと設定されたＣＳＩ参照プロセスのＲＩ又はＰＴＩサブフレームが衝突し、又は、ＲＩ又はＰＭＩ０サブフレームが衝突して廃棄された場合、前記端末は前記ＣＳＩプロセスと前記ＣＳＩ参照プロセスが同一のフィードバックモード及び／又はフィードバックタイプを有することを確定すること、又は、
前記端末が非周期フィードバックに設定された場合、前記端末は設定されたＣＳＩ参照プロセスが対応するＣＳＩプロセスに対して有効であることを確定すること、又は
前記端末が非周期フィードバックに設定され、且つ対応するＣＳＩ参照プロセスも非周期フィードバックのＣＳＩプロセスである場合、前記端末は設定されたＣＳＩ参照プロセスが対応するＣＳＩプロセスに対して有効であることを確定すること、又は
前記端末の１つのＣＳＩプロセスには対応するＣＳＩ参照プロセスが設定され、且つ前記ＣＳＩプロセスがフィードバックモード２−１である場合、前記端末は、前記ＣＳＩ参照プロセスと前記ＣＳＩプロセスが同一のフィードバックモード及び／又はフィードバックタイプを有することを確定すること、又は
前記端末の１つのＣＳＩプロセスには対応するＣＳＩ参照プロセスが設定され、且つ前記ＣＳＩプロセスがフィードバックモード１のサブモード１である場合、前記端末は、前記ＣＳＩ参照プロセスと前記ＣＳＩプロセスが同一のフィードバックモード及び／又はフィードバックタイプを有することを確定することを更に含む。
【００２７】
好ましくは、前記端末がフィードバックした複数のＣＳＩプロセスに対応するＲＩ、又はＲＩ及びＰＴＩ、又はＲＩ及びＰＭＩ０が一部のサブフレーム又は全部のサブフレームに衝突して廃棄された場合、対応するＣＳＩ参照プロセスのＲＩ、又はＲＩ及びＰＴＩ、又はＲＩ及びＰＭＩ０に従って前記ＣＳＩプロセスに対応するＣＳＩ報告を計算することは、
ＣＳＩ参照プロセスと非ＣＳＩ参照プロセスの、ＣＳＩのＲＩ、又はＲＩ及びＰＴＩ、又はＲＩ及びＰＭＩ０をフィードバックするサブフレームが衝突して廃棄された場合、前記端末は優先的にＣＳＩ参照プロセスに対応するＲＩ、又はＲＩ及びＰＴＩ、又はＲＩ及びＰＭＩ０をフィードバックすること、又は
ＣＳＩ参照プロセスと前記ＣＳＩ参照プロセスに対応するＣＳＩプロセスの、ＲＩ、ＲＩ及びＰＴＩ、又はＲＩ及びＰＭＩ０をフィードバックするサブフレームが衝突して廃棄された場合、前記端末は優先的にＣＳＩ参照プロセスに対応するＲＩ、ＲＩ及びＰＴＩ、又はＲＩ及びＰＭＩ０をフィードバックすること、又は
ＣＳＩ参照プロセスのインデックス優先度が前記ＣＳＩ参照プロセスに対応するＣＳＩプロセスより低い場合、且つ両者の、ＲＩ、ＲＩ及びＰＴＩ又はＲＩ及びＰＭＩ０をフィードバックするサブフレームが衝突して廃棄された場合、前記端末は優先的にＣＳＩ参照プロセスに対応するＲＩ、又はＲＩ及びＰＴＩ、又はＲＩ及びＰＭＩ０をフィードバックし、又はＣＳＩ参照プロセスのインデックス優先度が必ず前記ＣＳＩプロセスより大きいように制限すること、又は
ＣＳＩ参照プロセスに対応するＲＩ、ＲＩ又はＰＴＩ、又はＲＩ及びＰＭＩ０と他のＣＳＩプロセスが衝突して廃棄された場合、ＣＳＩ参照プロセスと前記ＣＳＩ参照プロセスに対応するＣＳＩプロセスのＣＳＩ報告は最近にフィードバックされたＣＳＩ参照プロセスのＲＩ、又はＲＩ及びＰＴＩ、又はＲＩ及びＰＭＩ０に従ってＣＳＩ報告の計算を行うこと、又は
ＣＳＩ参照プロセスのＲＩサブフレームと前記ＣＳＩ参照プロセスに対応するＣＳＩプロセスのＲＩ又はＰＴＩジョイントコードサブフレームが衝突して廃棄された場合、前記端末はＣＳＩ参照プロセスのＲＩ及び最近にフィードバックされたＰＴＩ又はＰＴＩ＝０又はＰＴＩ＝１に従って前記ＣＳＩプロセスのＣＳＩ報告を計算し、且つ前記ＣＳＩ参照プロセスのＲＩをフィードバックすること、又は
ＣＳＩ参照プロセスのＲＩサブフレームと前記ＣＳＩ参照プロセスに対応するＣＳＩプロセスのＲＩ又はＰＭＩ０ジョイントコードサブフレームが衝突して廃棄された場合、前記端末はＣＳＩ参照プロセスのＲＩ及び前記ＣＳＩプロセスが最近にフィードバックしたＰＭＩ０に従って前記ＣＳＩプロセスのＣＳＩ報告を計算し、且つ前記ＣＳＩ参照プロセスのＲＩをフィードバックすること、又は
ＣＳＩ参照プロセスと前記ＣＳＩ参照プロセスに対応するＣＳＩプロセスのＲＩ又はＰＴＩジョイントコードサブフレームが衝突して廃棄された場合、前記端末は、ＣＳＩ参照プロセスのＲＩ又はＰＴＩに従ってＣＳＩプロセスのＣＳＩ報告を計算し、且つＣＳＩ参照プロセスのＲＩ又はＰＴＩ及び計算された前記ＣＳＩ報告をフィードバックすること、又は
ＣＳＩ参照プロセスと前記ＣＳＩ参照プロセスに対応するＣＳＩプロセスのＲＩ又はＰＴＩジョイントコードサブフレームが衝突して前記ＣＳＩプロセスサブフレームが廃棄された場合、前記端末は、ＣＳＩ参照プロセスのＲＩ及び最近にフィードバックされたＰＴＩに従ってＣＳＩ報告を計算し、且つ前記ＣＳＩ参照プロセスのＲＩ又はＰＴＩ、及び計算された前記ＣＳＩ報告をフィードバックし、前記ＣＳＩ報告がＰＭＩ及び／又はチャネル品質インジケータ（ＣＱＩ）を含むこと、又は
ＣＳＩ参照プロセスと前記ＣＳＩ参照プロセスに対応するＣＳＩプロセスのＲＩ又はＰＭＩ０ジョイントコードサブフレームが衝突して廃棄された場合、前記端末はＣＳＩ参照プロセスのＲＩ又はＰＭＩ０に従ってＣＳＩ報告を計算し、且つ前記ＣＳＩ参照プロセスのＲＩ又はＰＭＩ０、及び計算された前記ＣＳＩ報告をフィードバックし、前記ＣＳＩ報告がＰＭＩ及び／又はＣＱＩを含むこと、又は
ＣＳＩ参照プロセスのＲＩ又はＰＴＩジョイントコードサブフレームと前記ＣＳＩ参照プロセスに対応するＣＳＩプロセスのＲＩ又はＰＭＩ０ジョイントコードサブフレームが衝突して廃棄された場合、前記端末は、ＣＳＩ参照プロセスのＲＩ及び最近にフィードバックされたＰＭＩ０に従って前記ＣＳＩプロセスのＣＳＩ報告を計算し、且つ前記ＣＳＩ参照プロセスのＲＩ又はＰＴＩ、及び計算された前記ＣＳＩ報告をフィードバックし、前記ＣＳＩ報告がＰＭＩ及び／又はＣＱＩを含むこと、又は
ＣＳＩ参照プロセスと前記ＣＳＩ参照プロセスに対応するＣＳＩプロセスのＲＩ又はＰＭＩ０ジョイントコードサブフレームが衝突して廃棄された場合、前記端末はＣＳＩ参照プロセスのＲＩ及び最近にフィードバックされたＰＴＩ又はＰＴＩ＝０又はＰＴＩ＝１に従って前記ＣＳＩプロセスのＣＳＩ報告を計算し、且つ前記ＣＳＩ参照プロセスのＲＩ又はＰＴＩ、及び計算された前記ＣＳＩ報告をフィードバックすること、又は
ＣＳＩ参照プロセスに対応するＲＩと他のＣＳＩプロセスが衝突して廃棄された場合、前記端末は、最近にフィードバックされたＣＳＩ参照プロセスのＲＩに従ってＣＳＩ参照プロセスのＣＳＩ報告の計算及びフィードバックを行い、前記ＣＳＩ参照プロセスに対応するＣＳＩプロセスは現在のサブフレームに算出されたＲＩに従って前記ＣＳＩプロセスのＣＳＩ報告の計算及びフィードバックを行うこと、又は
ＣＳＩ参照プロセスに対応するＲＩと他のＣＳＩプロセスが衝突して廃棄された場合、前記端末は、最近にフィードバックされたＣＳＩ参照プロセスのＲＩ又は前記ＣＳＩ参照プロセスに対応するＣＳＩプロセスがフィードバックしたＲＩに従って前記ＣＳＩ参照プロセスのＣＳＩを計算してフィードバックすることを含む。
【００２８】
好ましくは、前記ＣＳＩプロセスの一部又は全部に、ＣＳＩ参照プロセスを設定した場合、前記端末は、ＣＳＩ参照プロセスに対応するＲＩ、又はＲＩ及びＰＴＩ、又はＲＩ及びＰＭＩ０に従って前記ＣＳＩ参照プロセスが設定されたＣＳＩプロセスのＣＳＩ報告を計算することは、  
前記端末の１つのＣＳＩプロセスには対応するＣＳＩ参照プロセスを設定した場合、前記端末は、前記対応するＣＳＩ参照プロセスのＲＩに従ってＰＭＩ及びＣＱＩを更新することを含む。
【００２９】
好ましくは、前記端末は前記対応するＣＳＩ参照プロセスのＲＩに従ってＰＭＩ及びＣＱＩを更新することは、
前記端末は前記ＣＳＩプロセスのＰＭＩ又はＰＭＩ０フィードバックサブフレームに最近のＣＳＩ参照プロセスがフィードバックしたＲＩに従ってＰＭＩ及びＣＱＩの計算更新を行うこと、又は
前記端末は前記ＣＳＩプロセスのＲＩフィードバックサブフレームに最近のＣＳＩ参照プロセスがフィードバックしたＲＩに従ってＰＭＩ及びＣＱＩの計算更新を行うことを含む。
【００３０】
本発明の実施例は基地局を更に提供しており、該基地局は、
端末に複数のＣＳＩプロセスを設定し、各ＣＳＩプロセスが少なくともチャネル測定部分の情報及び干渉測定部分の情報を含むように設定される設定モジュール、
前記基地局が一部又は全部のＣＳＩプロセスにその対応するＣＳＩ参照プロセスを設定した場合、ＣＳＩ参照プロセスを設定することにより、少なくとも、ＣＳＩ報告を計算するためのＣＳＩプロセスのランクインジケータ（ＲＩ）とＣＳＩ参照プロセスのＲＩとが一致するように制限し、ＣＳＩ参照プロセスが設定されたＣＳＩプロセスに対して、ＣＳＩ参照プロセスに対応するＲＩ、又はＲＩ及びプリコーディングタイプインジケータ（ＰＴＩ）、又はＲＩ及びプリコーディングマトリクスインジケータ（ＰＭＩ０）に従ってＣＳＩプロセスのＣＳＩ報告を受信するように設定される受信モジュールを備える。
【００３１】
好ましくは、前記受信モジュールはさらに、前記基地局が設定した複数のＣＳＩプロセスに対応するＲＩ、又はＲＩ及びＰＴＩ、又はＲＩ及びＰＭＩ０は一部のサブフレーム又は全部のサブフレームに衝突して廃棄された場合、前記基地局はＣＳＩプロセスに対応するＣＳＩ参照プロセスのＲＩ、又はＲＩ及びＰＴＩ、又はＲＩ及びＰＭＩ０に従って該ＣＳＩプロセスのＣＳＩ報告を受信するように設定される。
【００３２】
好ましくは、前記ＲＩ及びＰＴＩは、前記ＲＩと前記ＰＴＩを同一のサブフレームに伝送する設定状況を指し、
前記ＲＩ及びＰＭＩ０は、前記ＲＩ及び前記ＰＭＩ０が同一のサブフレームにジョイントコーディングして伝送される設定状況を指す。
【００３３】
好ましくは、前記受信モジュールは、  
前記基地局が現在のＣＳＩプロセスにその対応するＣＳＩ参照プロセスを設定した場合、前記ＣＳＩプロセスには前記対応するＣＳＩ参照プロセスと同一のフィードバックモード及び／又はフィードバックタイプが設定され、又は
前記基地局が現在のＣＳＩプロセスにその対応するＣＳＩ参照プロセス及び周期的フィードバックを設定した場合、前記現在のＣＳＩプロセスには前記対応するＣＳＩ参照プロセスと同一のフィードバックモード及び／又はフィードバックタイプが設定され、又は
前記基地局が現在のＣＳＩプロセスにその対応するＣＳＩ参照プロセスを設定し、且つ前記ＣＳＩプロセス及び前記対応するＣＳＩ参照プロセスのノンゼロパワー（ＮＺＰ）チャネル状態情報参照信号（ＣＳＩ−ＲＳ）のポートの数が８であり、及び両者にいずれもＲＩフィードバックを設定した場合、前記現在のＣＳＩプロセスには前記対応するＣＳＩ参照プロセスと同一のフィードバックモード及び／又はフィードバックタイプが設定され、又は
前記基地局が現在のＣＳＩプロセスにその対応するＣＳＩ参照プロセスを設定し、且つ前記ＣＳＩプロセスとＣＳＩ参照プロセスのＮＺＰ  ＣＳＩ−ＲＳのポートの数が８であり、及び両者にいずれもＲＩフィードバック及び周期的フィードバックを設定した場合、前記現在のＣＳＩプロセスには前記対応するＣＳＩ参照プロセスと同一のフィードバックモード及び／又はフィードバックタイプが設定され、又は
前記基地局が現在のＣＳＩプロセスにその対応するＣＳＩ参照プロセスを設定し、且つ前記ＣＳＩプロセスとＣＳＩ参照プロセスのＮＺＰ  ＣＳＩ−ＲＳのポートの数が８であり、及び両者にいずれもＲＩフィードバック及び周期的フィードバック物理アップリンク制御チャンネル（ＰＵＣＣＨ）モード１−１のサブモード１又はＰＵＣＣＨモード２−１を設定した場合、前記現在のＣＳＩプロセスには前記対応するＣＳＩ参照プロセスと同一のフィードバックモード及び／又はフィードバックタイプが設定され、又は
前記基地局が非周期フィードバックに設定されたＣＳＩプロセスのみにＣＳＩ参照プロセスを設定した場合、前記非周期フィードバックに設定されたＣＳＩプロセスには対応するＣＳＩ参照プロセスと同一のフィードバックモード及び／又はフィードバックタイプが設定され、又は、
前記基地局が非周期フィードバックに設定されたＣＳＩプロセスのみにＣＳＩ参照プロセスを設定し、且つ該ＣＳＩ参照プロセスも非周期フィードバックのＣＳＩプロセスである場合、前記非周期フィードバックに設定されたＣＳＩプロセスには対応するＣＳＩ参照プロセスと同一のフィードバックモード及び／又はフィードバックタイプが設定され、又は
前記基地局が現在のＣＳＩプロセスにその対応するＣＳＩ参照プロセスを設定し、且つ前記現在のＣＳＩプロセスがフィードバックモード２−１である場合、前記対応するＣＳＩ参照プロセスには前記現在のＣＳＩプロセスと同一のフィードバックモード及びフィードバックタイプが設定され、又は
前記基地局が現在のＣＳＩプロセスにその対応するＣＳＩ参照プロセスを設定し、且つ前記現在のＣＳＩプロセスがフィードバックモード１のサブモード１である場合、前記対応するＣＳＩ参照プロセスには前記現在のＣＳＩプロセスと同一のフィードバックモード及びフィードバックタイプが設定されたように設定される。
【００３４】
好ましくは、前記受信モジュールはさらに、
前記基地局がＣＳＩプロセスのＮＺＰ  ＣＳＩ−ＲＳポートの数をいずれも８に設定し、且ついずれもＲＩフィードバック及びＣＳＩ参照プロセスを設定し、ＰＵＣＣＨフィードバックモードが１−１のサブモード１又はＰＵＣＣＨフィードバックモード２−１である場合、又は前記基地局がＣＳＩプロセスのＮＺＰ  ＣＳＩ−ＲＳポートの数をいずれも８に設定し、いずれもＲＩフィードバック及びＣＳＩ参照プロセスを設定し、ＰＵＣＣＨフィードバックモードが１−１のサブモード１又はＰＵＣＣＨフィードバックモード２−１であり、且つ前記ＣＳＩプロセスと設定されたＣＳＩ参照プロセスのＲＩ又はＰＴＩサブフレームが衝突し、又は前記ＣＳＩプロセスと設定されたＣＳＩ参照プロセスのＲＩ又はＰＭＩ０サブフレームが衝突して廃棄された場合、前記基地局は前記ＣＳＩプロセスとその対応するＣＳＩ参照プロセスが同一のフィードバックモード及び／又はフィードバックタイプを有するように設定し、又は
前記基地局がＣＳＩプロセスのＮＺＰ  ＣＳＩ−ＲＳポートの数をいずれも８に設定し、且ついずれもＲＩフィードバック、ＣＳＩ参照プロセス及び周期的フィードバックを設定した場合、又は前記基地局がＣＳＩプロセスのＮＺＰ  ＣＳＩ−ＲＳポートの数をいずれも８に設定し、いずれもＲＩフィードバック、ＣＳＩ参照プロセス及び周期的フィードバックを設定し、且つ前記ＣＳＩプロセスと設定されたＣＳＩ参照プロセスのＲＩ又はＰＴＩサブフレームが衝突し、又は前記ＣＳＩプロセスと設定されたＣＳＩ参照プロセスのＲＩ又はＰＭＩ０サブフレームが衝突して廃棄された場合、前記基地局は前記ＣＳＩプロセスとその対応するＣＳＩ参照プロセスが同一のフィードバックモード及び／又はフィードバックタイプを有するように設定するように設定される。
【００３５】
好ましくは、前記受信モジュールは、
ＣＳＩ参照プロセスと非ＣＳＩ参照プロセスの、ＣＳＩのＲＩ、又はＲＩ及びＰＴＩ、又はＲＩ及びＰＭＩ０をフィードバックするサブフレームが衝突して廃棄された場合、優先的にＣＳＩ参照プロセスに対応するＲＩ、又はＲＩ及びＰＴＩ、又はＲＩ及びＰＭＩ０に従って該ＣＳＩ参照プロセスに対応するＣＳＩプロセスのＣＳＩ報告を受信し、又は
ＣＳＩ参照プロセスと前記ＣＳＩ参照プロセスに対応するＣＳＩプロセスのＲＩ、ＲＩ及びＰＴＩ又はＲＩ及びＰＭＩ０をフィードバックするサブフレームが衝突して廃棄された場合、ＣＳＩ参照プロセスに対応するＲＩ、又はＲＩ及びＰＴＩ、又はＲＩ及びＰＭＩ０に従って該ＣＳＩ参照プロセスに対応するＣＳＩプロセスのＣＳＩ報告を受信し、又は
ＣＳＩ参照プロセスのインデックス優先度が前記ＣＳＩ参照プロセスに対応するＣＳＩプロセスより低い場合、且つ両者の、ＲＩ、又はＲＩ及びＰＴＩ、又はＲＩ及びＰＭＩ０をフィードバックするサブフレームが衝突して廃棄された場合、ＣＳＩ参照プロセスに対応するＲＩ、又はＲＩ及びＰＴＩ、又はＲＩ及びＰＭＩ０に従って該ＣＳＩ参照プロセスに対応するＣＳＩプロセスのＣＳＩ報告を受信し、又はＣＳＩ参照プロセスのインデックス優先度が必ず前記ＣＳＩ参照プロセスに対応するＣＳＩプロセスより大きいように制限し、又は
ＣＳＩ参照プロセスに対応するＲＩ、又はＰＴＩ及びＲＩ、又はＲＩ及びＰＭＩ０と他のＣＳＩプロセスが衝突して廃棄された場合、最近にフィードバックされたＣＳＩ参照プロセスに対応するＲＩ、又はＲＩ及びＰＴＩ、又はＲＩ及びＰＭＩ０に従って該ＣＳＩ参照プロセスに対応するＣＳＩプロセスのＣＳＩ報告を受信し、又は
ＣＳＩ参照プロセスのＲＩサブフレームと前記ＣＳＩ参照プロセスに対応するＣＳＩプロセスのＲＩ又はＰＴＩジョイントコードサブフレームが衝突して廃棄された場合、前記ＣＳＩ参照プロセスのＲＩ及び最近にフィードバックされたＰＴＩ又はＰＴＩ＝０又はＰＴＩ＝１に従って該ＣＳＩ参照プロセスに対応するＣＳＩプロセスのＣＳＩ報告を受信し、又は
ＣＳＩ参照プロセスのＲＩサブフレームと前記ＣＳＩ参照プロセスに対応するＣＳＩプロセスのＲＩ又はＰＭＩ０ジョイントコードサブフレームが衝突して廃棄された場合、前記ＣＳＩ参照プロセスに対応するＲＩ及び前記ＣＳＩプロセスが最近にフィードバックしたＰＭＩ０に従って該ＣＳＩ参照プロセスに対応するＣＳＩプロセスのＣＳＩ報告を受信し、又は
ＣＳＩ参照プロセスのＲＩ又はＰＴＩジョイントコードサブフレームと前記ＣＳＩ参照プロセスに対応するＣＳＩプロセスのＲＩ又はＰＴＩジョイントコードサブフレームが衝突して廃棄された場合、前記ＣＳＩ参照プロセスに対応するＲＩ又はＰＴＩに従って前記ＣＳＩプロセスのＣＳＩ報告を受信し、又は
ＣＳＩ参照プロセスのＲＩ又はＰＴＩジョイントコードサブフレームと前記ＣＳＩ参照プロセスに対応するＣＳＩプロセスのＲＩ又はＰＴＩジョイントコードサブフレームが衝突して廃棄された場合、前記ＣＳＩ参照プロセスに対応するＲＩ及び最近にフィードバックされたＰＴＩに従って前記ＣＳＩプロセスのＣＳＩ報告を受信し、前記ＣＳＩ報告がＰＭＩ及び／又はチャネル品質インジケータ（ＣＱＩ）を含み、又は
ＣＳＩ参照プロセスのＲＩ又はＰＭＩ０ジョイントコードサブフレームと前記ＣＳＩ参照プロセスに対応するＣＳＩプロセスのＲＩ又はＰＭＩ０ジョイントコードサブフレームが衝突して廃棄された場合、前記ＣＳＩ参照プロセスに対応するＲＩ又はＣＱＩに従って前記ＣＳＩプロセスのＣＳＩ報告を受信し、前記ＣＳＩ報告がＰＭＩ及び／又はＣＱＩを含み、又は
ＣＳＩ参照プロセスのＲＩ又はＰＴＩジョイントコードサブフレームと前記ＣＳＩ参照プロセスに対応するＣＳＩプロセスのＲＩ又はＰＭＩ０ジョイントコードサブフレームが衝突して廃棄された場合、前記ＣＳＩ参照プロセスに対応するＲＩ及び最近にフィードバックされたＰＭＩ０に従って前記ＣＳＩプロセスのＣＳＩ報告を受信し、前記ＣＳＩ報告がＰＭＩ及び／又はＣＱＩを含み、又は
ＣＳＩ参照プロセスのＲＩ又はＰＭＩ０ジョイントコードサブフレームと前記ＣＳＩ参照プロセスに対応するＣＳＩプロセスのＲＩ又はＰＭＩ０ジョイントコードサブフレームが衝突して廃棄された場合、前記ＣＳＩ参照プロセスに対応するＲＩ及び最近にフィードバックされたＰＴＩ又はＰＴＩ＝０又はＰＴＩ＝１に従って前記ＣＳＩプロセスのＣＳＩ報告を受信し、又は
ＣＳＩ参照プロセスに対応するＲＩと他のＣＳＩプロセスが衝突して廃棄された場合、最近にフィードバックされた前記ＣＳＩ参照プロセスに対応するＲＩに従って前記ＣＳＩ参照プロセスのＣＳＩ報告を受信し、及び現在のサブフレームに算出されたＲＩに従って前記ＣＳＩプロセスのＣＳＩ報告を受信し、又は
ＣＳＩ参照プロセスに対応するＲＩと他のＣＳＩプロセスが衝突して廃棄された場合、最近にフィードバックされた前記ＣＳＩ参照プロセスに対応するＲＩ又は前記ＣＳＩ参照プロセスに対応するＣＳＩプロセスがフィードバックしたＲＩに従って前記ＣＳＩ参照プロセスのＣＳＩ報告を受信するように設定される。
【００３６】
本発明の実施例は端末を更に提供しており、該端末は、
基地局からＣＳＩプロセスを取得するように設定される取得モジュール、
前記取得モジュールが取得した前記ＣＳＩプロセスの一部又は全部にＣＳＩ参照プロセスを設定した場合、前記端末はＣＳＩ参照プロセスに対応するランクインジケータ（ＲＩ）、又はＲＩ及びプリコーディングタイプインジケータ（ＰＴＩ）、又はＲＩ及びプリコーディングマトリクスインジケータ（ＰＭＩ０）に従って前記ＣＳＩ参照プロセスが設定されたＣＳＩプロセスのＣＳＩ報告を計算するように設定される計算モジュールを備える。
【００３７】
好ましくは、前記計算モジュールはさらに、前記端末がフィードバックした複数のＣＳＩプロセスに対応するＲＩ、又はＲＩ及びＰＴＩ、又はＲＩ及びＰＭＩ０が一部のサブフレーム又は全部のサブフレームに衝突して廃棄された場合、対応するＣＳＩ参照プロセスのＲＩ、又はＲＩ及びＰＴＩ、又はＲＩ及びＰＭＩ０に従って前記ＣＳＩプロセスに対応するＣＳＩ報告を計算するように設定される。
【００３８】
好ましくは、前記ＣＳＩ報告は、ＰＭＩ、ＣＱＩ、ＰＭＩ０及びＰＭＩ１の１種又は複数種を含む。
【００３９】
好ましくは、前記計算モジュールはさらに、
前記端末の１つのＣＳＩプロセスには対応するＣＳＩ参照プロセスを設定した場合、前記端末は前記ＣＳＩプロセスと前記ＣＳＩ参照プロセスが同一のフィードバックモード及び／又はフィードバックタイプを有することを確定し、又は
前記端末の１つのＣＳＩプロセスには対応するＣＳＩ参照プロセス及び周期的フィードバックを設定した場合、前記端末は前記ＣＳＩプロセスと前記ＣＳＩ参照プロセスが同一のフィードバックモード及び／又はフィードバックタイプを有することを確定し、又は
ＣＳＩ参照プロセスと前記ＣＳＩ参照プロセスが設定されたＣＳＩプロセスのノンゼロパワー（ＮＺＰ）チャネル状態情報参照信号（ＣＳＩ−ＲＳ）ポートの数をいずれも８に設定し、且ついずれもＲＩフィードバックを設定した場合、前記端末は前記ＣＳＩプロセスと前記ＣＳＩ参照プロセスが同一のフィードバックモード及び／又はフィードバックタイプを有することを確定し、又は
ＣＳＩ参照プロセスと前記ＣＳＩ参照プロセスが設定されたＣＳＩプロセスのＮＺＰ  ＣＳＩ−ＲＳポートの数をいずれも８に設定し、且ついずれもＲＩフィードバック及び周期的フィードバックを設定した場合、前記端末は前記ＣＳＩプロセスと前記ＣＳＩ参照プロセスが同一のフィードバックモード及び／又はフィードバックタイプを有することを確定し、又は
ＣＳＩプロセスのＮＺＰ  ＣＳＩ−ＲＳポートの数をいずれも８に設定し、且ついずれもＲＩフィードバック及びＣＳＩ参照プロセスを設定し、ＰＵＣＣＨフィードバックモードが１−１のサブモード１又はＰＵＣＣＨフィードバックモード２−１である場合、又はＣＳＩプロセスのＮＺＰ  ＣＳＩ−ＲＳポートの数をいずれも８に設定し、いずれもＲＩフィードバック及びＣＳＩ参照プロセスを設定し、ＰＵＣＣＨフィードバックモードが１−１のサブモード１又はＰＵＣＣＨフィードバックモード２−１であり、且つ前記ＣＳＩプロセスと設定されたＣＳＩ参照プロセスのＲＩ又はＰＴＩサブフレームが衝突し、又は、ＲＩ又はＰＭＩ０サブフレームが衝突して廃棄された場合、前記端末は前記ＣＳＩプロセスと前記ＣＳＩ参照プロセスが同一のフィードバックモード及び／又はフィードバックタイプを有することを確定し、又は
前記端末が非周期フィードバックに設定された場合、前記端末は設定されたＣＳＩ参照プロセスが対応するＣＳＩプロセスに対して有効であることを確定し、又は
前記端末が非周期フィードバックに設定され、且つ対応するＣＳＩ参照プロセスも非周期フィードバックのＣＳＩプロセスである場合、前記端末は設定されたＣＳＩ参照プロセスが対応するＣＳＩプロセスに対して有効であることを確定し、又は
前記端末の１つのＣＳＩプロセスには対応するＣＳＩ参照プロセスが設定され、且つ前記ＣＳＩプロセスがフィードバックモード２−１である場合、前記端末は、前記ＣＳＩ参照プロセスと前記ＣＳＩプロセスが同一のフィードバックモード及び／又はフィードバックタイプを有することを確定し、又は
前記端末の１つのＣＳＩプロセスには対応するＣＳＩ参照プロセスが設定され、且つ前記ＣＳＩプロセスがフィードバックモード１のサブモード１である場合、前記端末は、前記ＣＳＩ参照プロセスと前記ＣＳＩプロセスが同一のフィードバックモード及び／又はフィードバックタイプを有することを確定するように設定される。
【００４０】
好ましくは、前記計算モジュールは、  
ＣＳＩ参照プロセスと非ＣＳＩ参照プロセスの、ＣＳＩのＲＩ、又はＲＩ及びＰＴＩ、又はＲＩ及びＰＭＩ０をフィードバックするサブフレームが衝突して廃棄された場合、優先的にＣＳＩ参照プロセスに対応するＲＩ、又はＲＩ及びＰＴＩ、又はＲＩ及びＰＭＩ０をフィードバックし、又は
ＣＳＩ参照プロセスと前記ＣＳＩ参照プロセスに対応するＣＳＩプロセスの、ＲＩ、ＲＩ及びＰＴＩ、又はＲＩ及びＰＭＩ０をフィードバックするサブフレームが衝突して廃棄された場合、優先的にＣＳＩ参照プロセスに対応するＲＩ、ＲＩ及びＰＴＩ、又はＲＩ及びＰＭＩ０をフィードバックし、又は
ＣＳＩ参照プロセスのインデックス優先度が前記ＣＳＩ参照プロセスに対応するＣＳＩプロセスより低い場合、且つ両者の、ＲＩ、ＲＩ及びＰＴＩ又はＲＩ及びＰＭＩ０をフィードバックするサブフレームが衝突して廃棄された場合、優先的にＣＳＩ参照プロセスに対応するＲＩ、又はＲＩ及びＰＴＩ、又はＲＩ及びＰＭＩ０をフィードバックし、又はＣＳＩ参照プロセスのインデックス優先度が必ず前記ＣＳＩプロセスより大きいように制限し、又は
ＣＳＩ参照プロセスに対応するＲＩ、ＲＩ又はＰＴＩ、又はＲＩ及びＰＭＩ０と他のＣＳＩプロセスが衝突して廃棄された場合、ＣＳＩ参照プロセスと前記ＣＳＩ参照プロセスに対応するＣＳＩプロセスのＣＳＩ報告は最近にフィードバックされたＣＳＩ参照プロセスのＲＩ、又はＲＩ及びＰＴＩ、又はＲＩ及びＰＭＩ０に従ってＣＳＩ報告の計算を行い、又は
ＣＳＩ参照プロセスのＲＩサブフレームと前記ＣＳＩ参照プロセスに対応するＣＳＩプロセスのＲＩ又はＰＴＩジョイントコードサブフレームが衝突して廃棄された場合、ＣＳＩ参照プロセスのＲＩ及び最近にフィードバックされたＰＴＩ又はＰＴＩ＝０又はＰＴＩ＝１に従って前記ＣＳＩプロセスのＣＳＩ報告を計算し、且つ前記ＣＳＩ参照プロセスのＲＩをフィードバックし、又は
ＣＳＩ参照プロセスのＲＩサブフレームと前記ＣＳＩ参照プロセスに対応するＣＳＩプロセスのＲＩ又はＰＭＩ０ジョイントコードサブフレームが衝突して廃棄された場合、ＣＳＩ参照プロセスのＲＩ及び前記ＣＳＩプロセスが最近にフィードバックしたＰＭＩ０に従って前記ＣＳＩプロセスのＣＳＩ報告を計算し、且つ前記ＣＳＩ参照プロセスのＲＩをフィードバックし、又は
ＣＳＩ参照プロセスと前記ＣＳＩ参照プロセスに対応するＣＳＩプロセスのＲＩ又はＰＴＩジョイントコードサブフレームが衝突して廃棄された場合、ＣＳＩ参照プロセスのＲＩ又はＰＴＩに従ってＣＳＩプロセスのＣＳＩ報告を計算し、且つＣＳＩ参照プロセスのＲＩ又はＰＴＩ及び計算された前記ＣＳＩ報告をフィードバックし、又は
ＣＳＩ参照プロセスと前記ＣＳＩ参照プロセスに対応するＣＳＩプロセスのＲＩ又はＰＴＩジョイントコードサブフレームが衝突して廃棄された場合、ＣＳＩ参照プロセスのＲＩ及び最近にフィードバックされたＰＴＩに従ってＣＳＩ報告を計算し、且つ前記ＣＳＩ参照プロセスのＲＩ又はＰＴＩ、及び計算された前記ＣＳＩ報告をフィードバックし、前記ＣＳＩ報告がＰＭＩ及び／又はチャネル品質インジケータ（ＣＱＩ）を含み、又は
ＣＳＩ参照プロセスと前記ＣＳＩ参照プロセスに対応するＣＳＩプロセスのＲＩ又はＰＭＩ０ジョイントコードサブフレームが衝突して廃棄された場合、ＣＳＩ参照プロセスのＲＩ又はＰＭＩ０に従ってＣＳＩ報告を計算し、且つ前記ＣＳＩ参照プロセスのＲＩ又はＰＭＩ０、及び計算された前記ＣＳＩ報告をフィードバックし、前記ＣＳＩ報告がＰＭＩ及び／又はＣＱＩを含み、又は
ＣＳＩ参照プロセスのＲＩ又はＰＴＩジョイントコードサブフレームと前記ＣＳＩ参照プロセスに対応するＣＳＩプロセスのＲＩ又はＰＭＩ０ジョイントコードサブフレームが衝突して廃棄された場合、ＣＳＩ参照プロセスのＲＩ及び最近にフィードバックされたＰＭＩ０に従って前記ＣＳＩプロセスのＣＳＩ報告を計算し、且つ前記ＣＳＩ参照プロセスのＲＩ又はＰＴＩ、及び計算された前記ＣＳＩ報告をフィードバックし、前記ＣＳＩ報告がＰＭＩ及び／又はＣＱＩを含み、又は
ＣＳＩ参照プロセスと前記ＣＳＩ参照プロセスに対応するＣＳＩプロセスのＲＩ又はＰＭＩ０ジョイントコードサブフレームが衝突して廃棄された場合、ＣＳＩ参照プロセスのＲＩ及び最近にフィードバックされたＰＴＩ又はＰＴＩ＝０又はＰＴＩ＝１に従って前記ＣＳＩプロセスのＣＳＩ報告を計算し、且つ前記ＣＳＩ参照プロセスのＲＩ又はＰＴＩ、及び計算された前記ＣＳＩ報告をフィードバックし、又は
ＣＳＩ参照プロセスに対応するＲＩと他のＣＳＩプロセスが衝突して廃棄された場合、最近にフィードバックされたＣＳＩ参照プロセスのＲＩに従ってＣＳＩ参照プロセスのＣＳＩ報告の計算及びフィードバックを行い、前記ＣＳＩ参照プロセスに対応するＣＳＩプロセスは現在のサブフレームに算出されたＲＩに従って前記ＣＳＩプロセスのＣＳＩ報告の計算及びフィードバックを行い、又は
ＣＳＩ参照プロセスに対応するＲＩと他のＣＳＩプロセスが衝突して廃棄された場合、最近にフィードバックされたＣＳＩ参照プロセスのＲＩ又は前記ＣＳＩ参照プロセスに対応するＣＳＩプロセスがフィードバックしたＲＩに従って前記ＣＳＩ参照プロセスのＣＳＩを計算してフィードバックするように設定される。
【００４１】
好ましくは、前記計算モジュールは、前記端末の１つのＣＳＩプロセスには対応するＣＳＩ参照プロセスを設定した場合、前記対応するＣＳＩ参照プロセスのＲＩに従ってＰＭＩ及びＣＱＩを更新するように設定される。
【００４２】
好ましくは、前記計算モジュールは、前記ＣＳＩプロセスのＰＭＩ又はＰＭＩ０フィードバックサブフレームに、最近のＣＳＩ参照プロセスがフィードバックしたＲＩに従ってＰＭＩ及びＣＱＩの計算更新を行い、又は、前記ＣＳＩプロセスのＲＩフィードバックサブフレームに、最近のＣＳＩ参照プロセスがフィードバックしたＲＩに従ってＰＭＩ及びＣＱＩの計算更新を行うように設定される。
【発明の効果】
【００４３】
本発明の実施例は柔軟的なチャネル状態情報設定及びフィードバックを実現することができる。
【図面の簡単な説明】
【００４４】
【図１】図１は本発明に係るチャネル状態情報の処理方法の実施例一のフローチャートである。
【図２】図２は本発明に係るチャネル状態情報の処理方法の実施例二のフローチャートである。
【図３】図３は本発明に係る基地局の実施例の構造模式図である。
【図４】図４は本発明に係る端末の実施例の構造模式図である。
【発明を実施するための形態】
【００４５】
以下、図面を参照しながら本発明の実施例を詳細に説明する。なお、衝突がない場合、本願における実施例及び実施例における特徴は相互に任意に組み合せることができる。
【００４６】
図１に示すように、本発明に係るチャネル状態情報の処理方法の実施例一のフローチャートであり、該実施例は基地局側から説明を行い、該方法は、
基地局が端末に複数のＣＳＩプロセスを設定し、各ＣＳＩプロセスが少なくともチャネル測定部分の情報及び干渉測定部分の情報を含むステップ１０１、
前記基地局が一部又は全部のＣＳＩプロセスにその対応するＣＳＩ参照プロセスを設定した場合、ＣＳＩ参照プロセスを設定することにより、少なくとも、ＣＳＩ報告を計算するためのＣＳＩプロセスのＲＩとＣＳＩ参照プロセスのＲＩとが一致するように制限し、前記基地局はＣＳＩ参照プロセスが設定されたＣＳＩプロセスに対して、ＣＳＩ参照プロセスに対応するＲＩ、又はＲＩ及びＰＴＩ、又はＲＩ及びＰＭＩ０に従ってＣＳＩプロセスのＣＳＩ報告を受信するステップ１０２、を含む。
【００４７】
そのうち、前記ＲＩ及びＰＴＩは、前記ＲＩと前記ＰＴＩ を同一のサブフレームに伝送する設定状況を指し、前記ＲＩ及びＰＭＩは、前記ＲＩと前記ＰＭＩ０が同一のサブフレームにジョイントコーディングして伝送される設定状況を指す。本発明の実施例に係るＰＭＩ０は標準において８アンテナ設定の時のダブルコードブックにおける１番目のコードブックであり、ＰＵＣＣＨフィードバックモードが１−１サブモード１に設定された場合、ＰＭＩ０及びＲＩは同一のサブフレームにジョイントコーディングの方式でフィードバックされる。
【００４８】
また、該方法は、
前記基地局が設定した複数のＣＳＩプロセスに対応するＲＩ、又はＲＩ及びＰＴＩ、又はＲＩ及びＰＭＩ０は一部のサブフレーム又は全部のサブフレームに衝突して廃棄された場合、前記基地局はＣＳＩプロセスに対応するＣＳＩ参照プロセスのＲＩ、又はＲＩ及びＰＴＩ、又はＲＩ及びＰＭＩ０に従って該ＣＳＩプロセスのＣＳＩ報告を受信するステップ１０３、を更に含んでもよい。
【００４９】
図２に示すように、本発明に係るチャネル状態情報の処理方法の実施例一のフローチャートであり、該実施例は端末側から説明を行い、該方法は、
端末は基地局からＣＳＩプロセスを取得するステップ２０１、
前記ＣＳＩプロセスの一部又は全部に、ＣＳＩ参照プロセスを設定した場合、前記ＣＳＩ参照プロセスが設定されたＣＳＩプロセスはＣＳＩ参照プロセスに対応するＲＩ、又はＲＩ及びＰＴＩ、又はＲＩ及びＰＭＩ０に従ってＣＳＩ報告を計算するステップ２０２、を含む。
【００５０】
端末がフィードバックした複数のＣＳＩプロセスに対応するＲＩ、又はＲＩ及びＰＴＩ、又はＲＩ及びＰＭＩ０が一部のサブフレーム又は全部のサブフレームに衝突して廃棄された場合、対応するＣＳＩ参照プロセスのＲＩ、又はＲＩ及びＰＴＩ、又はＲＩ及びＰＭＩ０に従って前記ＣＳＩプロセスに対応するＣＳＩ報告を計算する。
【００５１】
前記ＣＳＩ報告は、ＰＭＩ、ＣＱＩ、ＰＭＩ０及びＰＭＩ１の１種又は複数種を少なくとも含む。
【００５２】
また、該方法は、前記端末がフィードバックした複数のＣＳＩプロセスに対応するＲＩ、又はＲＩ及びＰＴＩ、又はＲＩ及びＰＭＩ０が一部のサブフレーム又は全部のサブフレームに衝突して廃棄された場合、対応するＣＳＩ参照プロセスのＲＩ、又はＲＩ及びＰＴＩ、又はＲＩ及びＰＭＩ０に従って前記ＣＳＩプロセスに対応するＣＳＩ報告を計算することを更に含んでもよい。
【００５３】
以下、基地局側と端末側のインタラクションの角度から本発明の実施例を詳細に説明する。
【００５４】
実施例一
基地局は１つのＣＳＩプロセスがＣＳＩ参照プロセスを有するように設定する場合、このプロセスはＣＳＩ参照プロセスと同一のフィードバックモード及び／又はフィードバックタイプを設定すべきである。
【００５５】
端末は１つのＣＳＩプロセスがＣＳＩ参照プロセスを有し、且ついずれもＲＩフィードバックを設定したと仮定する場合、このプロセスは設定されたＣＳＩ参照プロセスと同一のフィードバックモード及び／又はフィードバックタイプを有するべきである。
【００５６】
実施例二
基地局は１つのＣＳＩプロセスがＣＳＩ参照プロセスを有するように設定し、且つ周期的フィードバックである場合、このプロセスはＣＳＩ参照プロセスと同一のフィードバックモード及び／又はフィードバックタイプを設定すべきである。
【００５７】
端末は１つのＣＳＩプロセスがＣＳＩ参照プロセスを有し、且つ周期的フィードバックであり、ＲＩフィードバックが設定されたと仮定する場合、このプロセスは設定されたＣＳＩ参照プロセスと同一のフィードバックモード及び／又はフィードバックタイプを有するべきである。
【００５８】
実施例三
基地局は１つのＣＳＩプロセスがＣＳＩ参照プロセスを有するように設定し、且つ前記ＣＳＩプロセスとＣＳＩ参照プロセスのノンゼロパワー（ＮＺＰ）  ＣＳＩ−ＲＳのポートの数が８であり、且ついずれもＲＩフィードバックを設定した場合、このプロセスはＣＳＩ参照プロセスと同一のフィードバックモード及び／又はフィードバックタイプを設定すべきである。
【００５９】
端末は１つのＣＳＩプロセスがＣＳＩ参照プロセスを有し、且つ前記ＣＳＩプロセスとＣＳＩ参照プロセスのＮＺＰ  ＣＳＩ−ＲＳのポートの数が８であり、且ついずれもＲＩフィードバックを設定したと仮定する場合、このプロセスはＣＳＩ参照プロセスと同一のフィードバックモード及び／又はフィードバックタイプを設定すべきである。
【００６０】
実施例四
基地局は１つのＣＳＩプロセスがＣＳＩ参照プロセスを有するように設定し、且つ前記ＣＳＩプロセスとＣＳＩ参照プロセスのＮＺＰ  ＣＳＩ−ＲＳのポートの数が８であり、且ついずれもＲＩフィードバック及び周期的フィードバックを設定した場合、このプロセスはＣＳＩ参照プロセスと同一のフィードバックモード及び／又はフィードバックタイプを設定すべきである。
【００６１】
端末は１つのＣＳＩプロセスがＣＳＩ参照プロセスを有し、且つ前記ＣＳＩプロセスとＣＳＩ参照プロセスのＮＺＰ  ＣＳＩ−ＲＳのポートの数が８であり、且ついずれもＲＩフィードバック及び周期的フィードバックを設定したと仮定する場合、このプロセスはＣＳＩ参照プロセスと同一のフィードバックモード及び／又はフィードバックタイプを設定すべきである。
【００６２】
実施例五
基地局は１つのＣＳＩプロセスがＣＳＩ参照プロセスを有するように設定し、且つ前記ＣＳＩプロセスとＣＳＩ参照プロセスのＮＺＰ  ＣＳＩ−ＲＳのポートの数が８であり、且ついずれもＲＩフィードバック及び周期的フィードバックＰＵＣＣＨモード１−１のサブモード１又はＰＵＣＣＨモード２−１を設定した場合、このプロセスはＣＳＩ参照プロセスと同一のフィードバックモード及び／又はフィードバックタイプを設定すべきである。
【００６３】
端末は１つのＣＳＩプロセスがＣＳＩ参照プロセスを有し、且つ前記ＣＳＩプロセスとＣＳＩ参照プロセスのＮＺＰ  ＣＳＩ−ＲＳのポートの数が８であり、且ついずれもＲＩフィードバック及び周期的フィードバックＰＵＣＣＨモード１−１のサブモード１又はＰＵＣＣＨモード２−１を設定したと仮定する場合、このプロセスはＣＳＩ参照プロセスと同一のフィードバックモード及び／又はフィードバックタイプを設定すべきである。
【００６４】
実施例六
基地局はＣＳＩプロセスのＮＺＰ  ＣＳＩ−ＲＳポートの数をいずれも８に設定し、且ついずれもＲＩフィードバック及びＣＳＩ参照プロセスを設定し、ＰＵＣＣＨフィードバックモードが１−１のサブモード１又はＰＵＣＣＨフィードバックモード２−１である場合、又は基地局はＣＳＩプロセスのＮＺＰ  ＣＳＩ−ＲＳポートの数をいずれも８に設定し、且ついずれもＲＩフィードバック及びＣＳＩ参照プロセスを設定し、ＰＵＣＣＨフィードバックモードが１−１のサブモード１又はＰＵＣＣＨフィードバックモード２−１であり、且つ前記ＣＳＩプロセスと設定されたＣＳＩ参照プロセスのＲＩ／ＰＴＩサブフレーム又はＲＩ／ＰＭＩ０サブフレームが衝突して廃棄された場合、前記ＣＳＩプロセスとＣＳＩ参照プロセスは同一のフィードバックモード及び／又はフィードバックタイプを有する。
【００６５】
ＣＳＩプロセスのＮＺＰ  ＣＳＩ−ＲＳポートの数をいずれも８に設定し、且ついずれもＲＩフィードバック及びＣＳＩ参照プロセスを設定し、ＰＵＣＣＨフィードバックモードが１−１のサブモード１又はＰＵＣＣＨフィードバックモード２−１である場合、又はＣＳＩプロセスのＮＺＰ  ＣＳＩ−ＲＳポートの数をいずれも８に設定し、且ついずれもＲＩフィードバック及びＣＳＩ参照プロセスを設定し、ＰＵＣＣＨフィードバックモードが１−１のサブモード１又はＰＵＣＣＨフィードバックモード２−１であり、且つ前記ＣＳＩプロセスと設定されたＣＳＩ参照プロセスのＲＩ／ＰＴＩサブフレーム又はＲＩ／ＰＭＩ０サブフレームが衝突する場合、このような端末は常に前記ＣＳＩプロセスのＣＳＩ参照プロセスのフィードバックモード及び／又はフィードバックタイプが前記ＣＳＩプロセスのフィードバックモード及び／又はフィードバックタイプと同一であると仮定する。
【００６６】
実施例七
前記基地局がＣＳＩプロセスのＮＺＰ  ＣＳＩ−ＲＳポートの数をいずれも８に設定し、且ついずれもＲＩフィードバック及びＣＳＩ参照プロセスを設定し、ＰＵＣＣＨフィードバックモードが１−１のサブモード１又はＰＵＣＣＨフィードバックモード２−１である場合、又はＣＳＩプロセスのＮＺＰ  ＣＳＩ−ＲＳポートの数をいずれも８に設定し、且ついずれもＲＩフィードバック及びＣＳＩ参照プロセスを設定し、ＰＵＣＣＨフィードバックモードが１−１のサブモード１又はＰＵＣＣＨフィードバックモード２−１であり、且つ前記ＣＳＩプロセスと設定されたＣＳＩ参照プロセスのＲＩ／ＰＴＩサブフレーム又はＲＩ／ＰＭＩ０サブフレームが衝突する場合、前記ＣＳＩプロセスとＣＳＩ参照プロセスは同一のフィードバックモード及び／又はフィードバックタイプを有する。
【００６７】
実施例八
ＣＳＩ参照プロセスのインデックス優先度が前記ＣＳＩ参照プロセスに対応するＣＳＩプロセスより低い場合、且つ両者の、ＲＩ、ＲＩ及びＰＴＩ又はＲＩ及びＰＭＩ０をフィードバックするサブフレームが衝突して廃棄された場合、端末は優先的にＣＳＩ参照プロセスに対応するＲＩ、ＲＩ及びＰＴＩ又はＲＩ及びＰＭＩ０をフィードバックし、又はＣＳＩ参照プロセスのインデックス優先度が必ず前記ＣＳＩ参照プロセスが設定されたＣＳＩプロセスより大きいように制限する。
【００６８】
実施例九
ＣＳＩ参照プロセスに対応するＲＩ、ＲＩ又はＰＴＩ、又はＲＩ及びＰＭＩ０が他のＣＳＩプロセスと衝突して廃棄された場合、端末はＣＳＩ参照プロセス及び前記ＣＳＩ参照プロセスが設定されたＣＳＩプロセスのＣＳＩ報告に対して、最近にフィードバックされたＣＳＩ参照プロセスのＲＩ、ＲＩ及びＰＴＩ又はＲＩ及びＰＭＩ０に従ってＣＳＩ報告の計算を行う。
【００６９】
実施例十
前記ＣＳＩ参照プロセスのＣＳＩプロセスのＲＩ／ＰＴＩジョイントコードサブフレームが衝突して廃棄された場合、端末は前記ＣＳＩプロセスに対して、最近にフィードバックされたＣＳＩ参照プロセスのＲＩ及びＰＴＩに従ってＣＳＩ報告を計算してフィードバックする。
【００７０】
実施例十一
ＣＳＩ参照プロセスのＲＩサブフレームと前記ＣＳＩ参照プロセスが設定されたＣＳＩプロセスのＲＩ／ＰＭＩ０ジョイントコードサブフレームが衝突して廃棄された場合、端末は前記ＣＳＩプロセスに対して、ＣＳＩ参照プロセスのＲＩ及び前記ＣＳＩプロセスが最近にフィードバックしたＰＭＩ０に従ってＣＳＩ報告を計算し、且つＣＳＩ参照プロセスのＲＩをフィードバックする。
【００７１】
実施例十二
ＣＳＩ参照プロセスのＲＩ／ＰＴＩジョイントコードサブフレームと前記ＣＳＩ参照プロセスが設定されたＣＳＩプロセスのＲＩ／ＰＴＩジョイントコードサブフレームが衝突して廃棄された場合、端末は前記ＣＳＩプロセスに対して、ＣＳＩ参照プロセスのＲＩ／ＰＴＩに従ってＣＳＩ報告を計算し、且つＣＳＩ参照プロセスのＲＩ／ＰＴＩ及び算出されたＣＳＩ報告をフィードバックする。
【００７２】
実施例十三
ＣＳＩ参照プロセスのＲＩ／ＰＴＩジョイントコードサブフレームと前記ＣＳＩ参照プロセスが設定されたＣＳＩプロセスのＲＩ／ＰＴＩジョイントコードサブフレームが衝突して廃棄された場合、端末は前記ＣＳＩプロセスに対して、ＣＳＩ参照プロセスのＲＩ及び最近にフィードバックされたＰＴＩに従ってＰＭＩ及び／又はＣＱＩを計算し、且つＣＳＩ参照プロセスのＲＩ／ＰＴＩ及び算出されたＣＳＩ報告をフィードバックする。
【００７３】
実施例十四
ＣＳＩ参照プロセスのＲＩ／ＰＭＩ０ジョイントコードサブフレームと前記ＣＳＩ参照プロセスが設定されたＣＳＩプロセスのＲＩ／ＰＭＩ０ジョイントコードサブフレームが衝突して廃棄された場合、端末は前記ＣＳＩプロセスに対して、ＣＳＩ参照プロセスのＲＩ／ＰＭＩ０に従ってＰＭＩ及び／又はＣＱＩを計算し、且つＣＳＩ参照プロセスのＲＩ／ＰＭＩ０及び算出されたＣＳＩ報告をフィードバックする。
【００７４】
実施例十五
ＣＳＩ参照プロセスのＲＩ／ＰＴＩジョイントコードサブフレームと前記ＣＳＩ参照プロセスが設定されたＣＳＩプロセスのＲＩ／ＰＭＩ０ジョイントコードサブフレームが衝突して廃棄された場合、端末は前記ＣＳＩプロセスに対して、ＣＳＩ参照プロセスのＲＩ及び最近にフィードバックされたＰＭＩ０に従ってＰＭＩ及び／又はＣＱＩを計算し、且つＣＳＩ参照プロセスのＲＩ／ＰＴＩ及び算出されたＣＳＩ報告をフィードバックする。
【００７５】
実施例十六
ＣＳＩ参照プロセスのＲＩ／ＰＭＩ０ジョイントコードサブフレームと前記ＣＳＩ参照プロセスが設定されたＣＳＩプロセスのＲＩ／ＰＭＩ０ジョイントコードサブフレームが衝突して廃棄された場合、端末は前記ＣＳＩプロセスに対して、ＣＳＩ参照プロセスのＲＩ及び最近にフィードバックされたＰＴＩ又はＰＴＩ＝０又はＰＴＩ＝１に従ってＣＳＩ報告を計算し、且つＣＳＩ参照プロセスのＲＩ／ＰＴＩ及び算出されたＣＳＩ報告をフィードバックする。
【００７６】
実施例十七
ＣＳＩ参照プロセスに対応するＲＩは他のＣＳＩプロセスと衝突して廃棄された場合、端末は前記ＣＳＩ参照プロセスに対して、最近にフィードバックされたＣＳＩ参照プロセスのＲＩに従ってＣＳＩの計算及びフィードバックを行い、前記ＣＳＩ参照プロセスが設定されたＣＳＩプロセスに対して、現在のサブフレームに算出されたＲＩに従ってＣＳＩを計算してフィードバックする。
【００７７】
実施例十八
ＣＳＩ参照プロセスに対応するＲＩは他のＣＳＩプロセスと衝突して廃棄された場合、端末は前記ＣＳＩ参照プロセスに対して、最近にフィードバックされたＣＳＩ参照プロセスのＲＩに従って、又はこのＣＳＩ参照プロセスを参照プロセスのＣＳＩプロセスがフィードバックしたＲＩに設定することにより、ＣＳＩを計算してフィードバックする。
【００７８】
実施例十九
基地局は１つのＣＳＩプロセスがＣＳＩ参照プロセスを有するように設定する場合、このプロセスはＣＳＩ参照プロセスと同一のフィードバックモード及び／又はフィードバックタイプを設定すべきである。
【００７９】
端末は１つのＣＳＩプロセスがＣＳＩ参照プロセスを有すると仮定する場合、このプロセスは設定されたＣＳＩ参照プロセスと同一のフィードバックモード及びフィードバックタイプを有するべきである。
【００８０】
実施例二十
基地局は、非周期フィードバックに設定されたＣＳＩプロセスのみにＣＳＩ参照プロセスを設定する。
【００８１】
端末は非周期フィードバックに設定した場合こそ、設定されたＣＳＩ参照プロセスが対応するＣＳＩプロセスに対して有効であるとみなす。
【００８２】
実施例二十一
基地局は、非周期フィードバックに設定されたＣＳＩプロセスのみにＣＳＩ参照プロセスを設定し、ＣＳＩ参照プロセスも非周期フィードバックのＣＳＩプロセスである。
【００８３】
端末は非周期フィードバックに設定し、且つＣＳＩ参照プロセスも非周期フィードバックのＣＳＩプロセスである場合、設定されたＣＳＩ参照プロセスが対応するＣＳＩプロセスに対して有効であるとみなす必要がある。
【００８４】
実施例二十二
基地局は１つのＣＳＩプロセスがＣＳＩ参照プロセスを有するように設定し、且つ前記ＣＳＩプロセスがフィードバックモード２−１である場合、ＣＳＩ参照プロセスは前記ＣＳＩプロセスと同一のフィードバックモード及びフィードバックタイプを設定すべきである。
【００８５】
端末は１つのＣＳＩプロセスがＣＳＩ参照プロセスを有すると確定し、且つ前記ＣＳＩプロセスがフィードバックモード２−１である場合、端末はＣＳＩ参照プロセスが前記ＣＳＩプロセスと同一のフィードバックモード及びフィードバックタイプを有すると確定する。
【００８６】
実施例二十三
基地局は１つのＣＳＩプロセスがＣＳＩ参照プロセスを有するように設定し、且つ前記ＣＳＩプロセスがフィードバックモード１のサブモード１である場合、ＣＳＩ参照プロセスは前記ＣＳＩプロセスと同一のフィードバックモード及びフィードバックタイプを設定すべきである。
【００８７】
端末は１つのＣＳＩプロセスがＣＳＩ参照プロセスを有すると確定し、且つ前記ＣＳＩプロセスがフィードバックモード１のサブモード１である場合、端末はＣＳＩ参照プロセスが前記ＣＳＩプロセスと同一のフィードバックモード及びフィードバックタイプを有すると確定する。
【００８８】
実施例二十四
端末の１つのＣＳＩプロセスにＣＳＩ参照プロセスが設定された後、それはＣＳＩ参照プロセスのＲＩに従ってＰＭＩ及びＣＱＩを更新し、前記ＣＳＩプロセスのＰＭＩ又はＰＭＩ０フィードバックサブフレームのみに最近のＣＳＩ参照プロセスがフィードバックしたＲＩに従ってＰＭＩ及びＣＱＩの計算更新を行う。
【００８９】
実施例二十五
端末の１つのＣＳＩプロセスにＣＳＩ参照プロセスが設定された後、それはＣＳＩ参照プロセスのＲＩに従ってＰＭＩ及びＣＱＩを更新し、前記ＣＳＩプロセスのＲＩフィードバックサブフレームのみに、最近のＣＳＩ参照プロセスがフィードバックしたＲＩに従ってＰＭＩ及びＣＱＩの計算更新を行う。
【００９０】
なお、上記実施例に係る「最近のＣＳＩ参照プロセス」又は「最近にフィードバックされたＣＳＩ参照プロセス」は、今回のフィードバックの前、今回のフィードバックとの時間差がもっとも短いＣＳＩ参照プロセスを指す。
【００９１】
本発明の実施例は、フィードバック規則を設定することにより、柔軟的なチャネル状態情報フィードバックを実現することができ、それによりアップリンクのフィードバックオーバヘッド及び可能なフィードバック情報の衝突の確率を効果的に減少させる。
【００９２】
図３に示すように、本発明に係る基地局の実施例の構造模式図であり、該基地局は、設定モジュール３１及び受信モジュール３２を備え、そのうち、
設定モジュールは、端末に複数のＣＳＩプロセスを設定することに用いられ、各ＣＳＩプロセスが少なくともチャネル測定部分の情報及び干渉測定部分の情報を含み、
受信モジュールは、前記基地局が一部又は全部のＣＳＩプロセスにその対応するＣＳＩ参照プロセスを設定した場合、ＣＳＩ参照プロセスを設定することにより、少なくとも、ＣＳＩ報告を計算するためのＣＳＩプロセスのランクインジケータ（ＲＩ）とＣＳＩ参照プロセスのＲＩとが一致するように制限し、ＣＳＩ参照プロセスが設定されたＣＳＩプロセスに対して、ＣＳＩ参照プロセスに対応するＲＩ、又はＲＩ及びＰＴＩ、又はＲＩ及びＰＭＩ０に従ってＣＳＩプロセスのＣＳＩ報告を受信することに用いられる。
【００９３】
また、前記受信モジュールは、前記基地局が設定した複数のＣＳＩプロセスに対応するＲＩ、又はＲＩ及びＰＴＩ、又はＲＩ及びＰＭＩ０は一部のサブフレーム又は全部のサブフレームに衝突して廃棄された場合、前記基地局はＣＳＩプロセスに対応するＣＳＩ参照プロセスのＲＩ、又はＲＩ及びＰＴＩ、又はＲＩ及びＰＭＩ０に従って該ＣＳＩプロセスのＣＳＩ報告を受信することに更に用いられる。
【００９４】
そのうち、前記ＲＩ及びＰＴＩは、前記ＲＩと前記ＰＴＩを同一のサブフレームに伝送する設定状況を指し、前記ＲＩ及びＰＭＩ０は、前記ＲＩ及び前記ＰＭＩ０が同一のサブフレームにジョイントコーディングして伝送される設定状況を指す。
【００９５】
好ましくは、前記受信モジュールは、具体的には、前記基地局が現在のＣＳＩプロセスにその対応するＣＳＩ参照プロセスを設定した場合、前記ＣＳＩプロセスには前記対応するＣＳＩ参照プロセスと同一のフィードバックモード及び／又はフィードバックタイプが設定され、前記基地局が現在のＣＳＩプロセスにその対応するＣＳＩ参照プロセス及び周期的フィードバックを設定した場合、前記現在のＣＳＩプロセスには前記対応するＣＳＩ参照プロセスと同一のフィードバックモード及び／又はフィードバックタイプが設定され、前記基地局が現在のＣＳＩプロセスにその対応するＣＳＩ参照プロセスを設定し、且つ前記ＣＳＩプロセス及び前記対応するＣＳＩ参照プロセスのノンゼロパワー（ＮＺＰ）チャネル状態情報参照信号（ＣＳＩ−ＲＳ）のポートの数が８であり、及び両者にいずれもＲＩフィードバックを設定した場合、前記現在のＣＳＩプロセスには前記対応するＣＳＩ参照プロセスと同一のフィードバックモード及び／又はフィードバックタイプが設定され、前記基地局が現在のＣＳＩプロセスにその対応するＣＳＩ参照プロセスを設定し、且つ前記ＣＳＩプロセスとＣＳＩ参照プロセスのＮＺＰ  ＣＳＩ−ＲＳのポートの数が８であり、及び両者にいずれもＲＩフィードバック及び周期的フィードバックを設定した場合、前記現在のＣＳＩプロセスには前記対応するＣＳＩ参照プロセスと同一のフィードバックモード及び／又はフィードバックタイプが設定され、前記基地局が現在のＣＳＩプロセスにその対応するＣＳＩ参照プロセスを設定し、且つ前記ＣＳＩプロセスとＣＳＩ参照プロセスのＮＺＰ  ＣＳＩ−ＲＳのポートの数が８であり、及び両者にいずれもＲＩフィードバック及び周期的フィードバックＰＵＣＣＨモード１−１のサブモード１又はＰＵＣＣＨモード２−１を設定した場合、前記現在のＣＳＩプロセスには前記対応するＣＳＩ参照プロセスと同一のフィードバックモード及び／又はフィードバックタイプが設定され、前記基地局が非周期フィードバックに設定されたＣＳＩプロセスのみにＣＳＩ参照プロセスを設定した場合、前記非周期フィードバックに設定されたＣＳＩプロセスには対応するＣＳＩ参照プロセスと同一のフィードバックモード及び／又はフィードバックタイプが設定され、前記基地局が非周期フィードバックに設定されたＣＳＩプロセスのみにＣＳＩ参照プロセスを設定し、且つ該ＣＳＩ参照プロセスも非周期フィードバックのＣＳＩプロセスである場合、前記非周期フィードバックに設定されたＣＳＩプロセスには対応するＣＳＩ参照プロセスと同一のフィードバックモード及び／又はフィードバックタイプが設定され、前記基地局が現在のＣＳＩプロセスにその対応するＣＳＩ参照プロセスを設定し、且つ前記現在のＣＳＩプロセスがフィードバックモード２−１である場合、前記対応するＣＳＩ参照プロセスには前記現在のＣＳＩプロセスと同一のフィードバックモード及びフィードバックタイプが設定され、又は、前記基地局が現在のＣＳＩプロセスにその対応するＣＳＩ参照プロセスを設定し、且つ前記現在のＣＳＩプロセスがフィードバックモード１のサブモード１である場合、前記対応するＣＳＩ参照プロセスには前記現在のＣＳＩプロセスと同一のフィ��ドバックモード及びフィードバックタイプが設定されたことに用いられる。
【００９６】
また、前記受信モジュールは更に、前記基地局がＣＳＩプロセスのＮＺＰ  ＣＳＩ−ＲＳポートの数をいずれも８に設定し、且ついずれもＲＩフィードバック及びＣＳＩ参照プロセスを設定し、物理アップリンク制御チャンネル（ＰＵＣＣＨ）フィードバックモードが１−１のサブモード１又はＰＵＣＣＨフィードバックモード２−１である場合、又は前記基地局がＣＳＩプロセスのＮＺＰ  ＣＳＩ−ＲＳポートの数をいずれも８に設定し、いずれもＲＩフィードバック及びＣＳＩ参照プロセスを設定し、ＰＵＣＣＨフィードバックモードが１−１のサブモード１又はＰＵＣＣＨフィードバックモード２−１であり、且つ前記ＣＳＩプロセスと設定されたＣＳＩ参照プロセスのＲＩ又はＰＴＩサブフレームが衝突し、又は前記ＣＳＩプロセスと設定されたＣＳＩ参照プロセスのＲＩ又はＰＭＩ０サブフレームが衝突して廃棄された場合、前記基地局は前記ＣＳＩプロセスとその対応するＣＳＩ参照プロセスが同一のフィードバックモード及び／又はフィードバックタイプを有するように設定し、又は、前記基地局がＣＳＩプロセスのＮＺＰ  ＣＳＩ−ＲＳポートの数をいずれも８に設定し、且ついずれもＲＩフィードバック、ＣＳＩ参照プロセス及び周期的フィードバックを設定した場合、又は前記基地局がＣＳＩプロセスのＮＺＰ  ＣＳＩ−ＲＳポートの数をいずれも８に設定し、いずれもＲＩフィードバック、ＣＳＩ参照プロセス及び周期的フィードバックを設定し、且つ前記ＣＳＩプロセスと設定されたＣＳＩ参照プロセスのＲＩ又はＰＴＩサブフレームが衝突し、又は前記ＣＳＩプロセスと設定されたＣＳＩ参照プロセスのＲＩ又はＰＭＩ０サブフレームが衝突して廃棄された場合、前記基地局は前記ＣＳＩプロセスとその対応するＣＳＩ参照プロセスが同一のフィードバックモード及び／又はフィードバックタイプを有するように設定することに用いられる。
【００９７】
そのうち、前記受信モジュール、具体的には、ＣＳＩ参照プロセスと非ＣＳＩ参照プロセスの、ＣＳＩのＲＩ、又はＲＩ及びＰＴＩ、又はＲＩ及びＰＭＩ０をフィードバックするサブフレームが衝突して廃棄された場合、優先的にＣＳＩ参照プロセスに対応するＲＩ、又はＲＩ及びＰＴＩ、又はＲＩ及びＰＭＩ０に従って該ＣＳＩ参照プロセスに対応するＣＳＩプロセスのＣＳＩ報告を受信し、ＣＳＩ参照プロセスと前記ＣＳＩ参照プロセスに対応するＣＳＩプロセスの、ＲＩ、ＲＩ及びＰＴＩ又はＲＩ及びＰＭＩ０をフィードバックするサブフレームが衝突して廃棄された場合、ＣＳＩ参照プロセスに対応するＲＩ、又はＲＩ及びＰＴＩ、又はＲＩ及びＰＭＩ０に従って該ＣＳＩ参照プロセスに対応するＣＳＩプロセスのＣＳＩ報告を受信し、ＣＳＩ参照プロセスのインデックス優先度が前記ＣＳＩ参照プロセスに対応するＣＳＩプロセスより低い場合、且つ両者の、ＲＩ、又はＲＩ及びＰＴＩ、又はＲＩ及びＰＭＩ０をフィードバックするサブフレームが衝突して廃棄された場合、ＣＳＩ参照プロセスに対応するＲＩ、又はＲＩ及びＰＴＩ、又はＲＩ及びＰＭＩ０に従って該ＣＳＩ参照プロセスに対応するＣＳＩプロセスのＣＳＩ報告を受信し、又はＣＳＩ参照プロセスのインデックス優先度が必ず前記ＣＳＩ参照プロセスに対応するＣＳＩプロセスより大きいように制限し、ＣＳＩ参照プロセスに対応するＲＩ、又はＰＴＩ及びＲＩ、又はＲＩ及びＰＭＩ０と他のＣＳＩプロセスが衝突して廃棄された場合、最近にフィードバックされたＣＳＩ参照プロセスに対応するＲＩ、又はＲＩ及びＰＴＩ、又はＲＩ及びＰＭＩ０に従って該ＣＳＩ参照プロセスに対応するＣＳＩプロセスのＣＳＩ報告を受信し、ＣＳＩ参照プロセスのＲＩサブフレームと前記ＣＳＩ参照プロセスに対応するＣＳＩプロセスのＲＩ又はＰＴＩジョイントコードサブフレームが衝突して廃棄された場合、前記ＣＳＩ参照プロセスのＲＩ及び最近にフィードバックされたＰＴＩ又はＰＴＩ＝０又はＰＴＩ＝１に従って該ＣＳＩ参照プロセスに対応するＣＳＩプロセスのＣＳＩ報告を受信し、ＣＳＩ参照プロセスのＲＩサブフレームと前記ＣＳＩ参照プロセスに対応するＣＳＩプロセスのＲＩ又はＰＭＩ０ジョイントコードサブフレームが衝突して廃棄された場合、前記ＣＳＩ参照プロセスに対応するＲＩ及び前記ＣＳＩプロセスが最近にフィードバックしたＰＭＩ０に従って該ＣＳＩ参照プロセスに対応するＣＳＩプロセスのＣＳＩ報告を受信し、ＣＳＩ参照プロセスのＲＩ又はＰＴＩジョイントコードサブフレームと前記ＣＳＩ参照プロセスに対応するＣＳＩプロセスのＲＩ又はＰＴＩジョイントコードサブフレームが衝突して廃棄された場合、前記ＣＳＩ参照プロセスに対応するＲＩ又はＰＴＩに従って前記ＣＳＩプロセスのＣＳＩ報告を受信し、ＣＳＩ参照プロセスのＲＩ又はＰＴＩジョイントコードサブフレームと前記ＣＳＩ参照プロセスに対応するＣＳＩプロセスのＲＩ又はＰＴＩジョイントコードサブフレームが衝突して廃棄された場合、前記ＣＳＩ参照プロセスに対応するＲＩ及び最近にフィードバックされたＰＴＩに従って前記ＣＳＩプロセスのＣＳＩ報告を受信し、前記ＣＳＩ報告がＰＭＩ及び／又はチャネル品質インジケータ（ＣＱＩ）を含み、ＣＳＩ参照プロセスのＲＩ又はＰＭＩ０ジョイントコードサブフレームと前記ＣＳＩ参照プロセスに対応するＣＳＩプロセスのＲＩ又はＰＭＩ０ジョイントコードサブフレームが衝突して廃棄された場合、前記ＣＳＩ参照プロセスに対応するＲＩ又はＣＱＩに従って前記ＣＳＩプロセスのＣＳＩ報告を受信し、前記ＣＳＩ報告がＰＭＩ及び／又はＣＱＩを含み、ＣＳＩ参照プロセスのＲＩ又はＰＴＩジョイントコードサブフレームと前記ＣＳＩ参照プロセスに対応するＣＳＩプロセスのＲＩ又はＰＭＩ０ジョイントコードサブフレームが衝突して廃棄された場合、前記ＣＳＩ参照プロセスに対応するＲＩ及び最近にフィードバックされたＰＭＩ０に従って前記ＣＳＩプロセスのＣＳＩ報告を受信し、前記ＣＳＩ報告がＰＭＩ及び／又はＣＱＩを含み、ＣＳＩ参照プロセスのＲＩ又はＰＭＩ０ジョイントコードサブフレームと前記ＣＳＩ参照プロセスに対応するＣＳＩプロセスのＲＩ又はＰＭＩ０ジョイントコードサブフレームが衝突して廃棄された場合、前記ＣＳＩ参照プロセスに対応するＲＩ及び最近にフィードバックされたＰＴＩ又はＰＴＩ＝０又はＰＴＩ＝１に従って前記ＣＳＩプロセスのＣＳＩ報告を受信し、ＣＳＩ参照プロセスに対応するＲＩと他のＣＳＩプロセスが衝突して廃棄された場合、最近にフィードバックされた前記ＣＳＩ参照プロセスに対応するＲＩに従って前記ＣＳＩ参照プロセスのＣＳＩ報告を受信し、及び現在のサブフレームに算出されたＲＩに従って前記ＣＳＩプロセスのＣＳＩ報告を受信し、又は、ＣＳＩ参照プロセスに対応するＲＩと他のＣＳＩプロセスが衝突して廃棄された場合、最近にフィードバックされた前記ＣＳＩ参照プロセスに対応するＲＩ又は前記ＣＳＩ参照プロセスに対応するＣＳＩプロセスがフィードバックしたＲＩに従って前記ＣＳＩ参照プロセスのＣＳＩ報告を受信することに用いられる。
【００９８】
上記基地局は柔軟的なチャネル状態情報設定を実現することができる。
【００９９】
図４に示すように、本発明に係る端末の実施例の構造模式図であり、該端末は、取得モジュール４１及び計算モジュール４２を備え、そのうち、
取得モジュールは、基地局からＣＳＩプロセスを取得することに用いられ、
計算モジュールは、前記取得モジュールが取得した前記ＣＳＩプロセスの一部又は全部にＣＳＩ参照プロセスを設定した場合、前記端末がＣＳＩ参照プロセスに対応するランクインジケータ（ＲＩ）、又はＲＩ及びＰＴＩ、又はＲＩ及びＰＭＩ０に従って前記ＣＳＩ参照プロセスが設定されたＣＳＩプロセスのＣＳＩ報告を計算することに用いられる。
【０１００】
また、前記計算モジュールは更に、前記端末がフィードバックした複数のＣＳＩプロセスに対応するＲＩ、又はＲＩ及びＰＴＩ、又はＲＩ及びＰＭＩ０が一部のサブフレーム又は全部のサブフレームに衝突して廃棄された場合、対応するＣＳＩ参照プロセスのＲＩ、又はＲＩ及びＰＴＩ、又はＲＩ及びＰＭＩ０に従って前記ＣＳＩプロセスに対応するＣＳＩ報告を計算することに用いられる。
【０１０１】
そのうち、前記ＣＳＩ報告は、ＰＭＩ、ＣＱＩ、ＰＭＩ０及びＰＭＩ１の１種又は複数種を含む。
【０１０２】
前記計算モジュールは更に、前記端末の１つのＣＳＩプロセスには対応するＣＳＩ参照プロセスを設定した場合、前記端末は前記ＣＳＩプロセスと前記ＣＳＩ参照プロセスが同一のフィードバックモード及び／又はフィードバックタイプを有することを確定し、前記端末の１つのＣＳＩプロセスには対応するＣＳＩ参照プロセス及び周期的フィードバックを設定した場合、前記端末は前記ＣＳＩプロセスと前記ＣＳＩ参照プロセスが同一のフィードバックモード及び／又はフィードバックタイプを有することを確定し、ＣＳＩ参照プロセスと前記ＣＳＩ参照プロセスが設定されたＣＳＩプロセスのノンゼロパワー（ＮＺＰ）チャネル状態情報参照信号（ＣＳＩ−ＲＳ）ポートの数をいずれも８に設定し、且ついずれもＲＩフィードバックを設定した場合、前記端末は前記ＣＳＩプロセスと前記ＣＳＩ参照プロセスが同一のフィードバックモード及び／又はフィードバックタイプを有することを確定し、ＣＳＩ参照プロセスと前記ＣＳＩ参照プロセスが設定されたＣＳＩプロセスのＮＺＰ  ＣＳＩ−ＲＳポートの数をいずれも８に設定し、且ついずれもＲＩフィードバック及び周期的フィードバックを設定した場合、前記端末は前記ＣＳＩプロセスと前記ＣＳＩ参照プロセスが同一のフィードバックモード及び／又はフィードバックタイプを有することを確定し、ＣＳＩプロセスのＮＺＰ  ＣＳＩ−ＲＳポートの数をいずれも８に設定し、且ついずれもＲＩフィードバック及びＣＳＩ参照プロセスを設定し、ＰＵＣＣＨフィードバックモードが１−１のサブモード１又はＰＵＣＣＨフィードバックモード２−１である場合、又はＣＳＩプロセスのＮＺＰ  ＣＳＩ−ＲＳポートの数をいずれも８に設定し、いずれもＲＩフィードバック及びＣＳＩ参照プロセスを設定し、ＰＵＣＣＨフィードバックモードが１−１のサブモード１又はＰＵＣＣＨフィードバックモード２−１であり、且つ前記ＣＳＩプロセスと設定されたＣＳＩ参照プロセスのＲＩ又はＰＴＩサブフレームが衝突し、又はＲＩ又はＰＭＩ０サブフレームが衝突して廃棄された場合、前記端末は前記ＣＳＩプロセスと前記ＣＳＩ参照プロセスが同一のフィードバックモード及び／又はフィードバックタイプを有することを確定し、前記端末が非周期フィードバックに設定された場合、前記端末は設定されたＣＳＩ参照プロセスが対応するＣＳＩプロセスに対して有効であることを確定し、前記端末が非周期フィードバックに設定され、且つ対応するＣＳＩ参照プロセスも非周期フィードバックのＣＳＩプロセスである場合、前記端末は設定されたＣＳＩ参照プロセスが対応するＣＳＩプロセスに対して有効であることを確定し、前記端末の１つのＣＳＩプロセスには対応するＣＳＩ参照プロセスが設定され、且つ前記ＣＳＩプロセスがフィードバックモード２−１である場合、前記端末は前記ＣＳＩ参照プロセスと前記ＣＳＩプロセスが同一のフィードバックモード及び／又はフィードバックタイプを有することを確定し、又は、前記端末の１つのＣＳＩプロセスには対応するＣＳＩ参照プロセスが設定され、且つ前記ＣＳＩプロセスがフィードバックモード１のサブモード１である場合、前記端末は前記ＣＳＩ参照プロセスと前記ＣＳＩプロセスが同一のフィードバックモード及び／又はフィードバックタイプを有することを確定することに用いられる。
【０１０３】
好ましくは、前記計算モジュールは、具体的には、ＣＳＩ参照プロセスと非ＣＳＩ参照プロセスがフィードバックしたＣＳＩのＲＩ、又はＲＩ及びＰＴＩ、又はＲＩ及びＰＭＩ０サブフレームが衝突して廃棄された場合、優先的にＣＳＩ参照プロセスに対応するＲＩ、又はＲＩ及びＰＴＩ、又はＲＩ及びＰＭＩ０をフィードバックし、ＣＳＩ参照プロセスと前記ＣＳＩ参照プロセスに対応するＣＳＩプロセスの、ＲＩ、ＲＩ及びＰＴＩ、又はＲＩ及びＰＭＩ０をフィードバックするサブフレームが衝突して廃棄された場合、優先的にＣＳＩ参照プロセスに対応するＲＩ、ＲＩ及びＰＴＩ、又はＲＩ及びＰＭＩ０をフィードバックし、ＣＳＩ参照プロセスのインデックス優先度が前記ＣＳＩ参照プロセスに対応するＣＳＩプロセスより低い場合、且つ両者の、ＲＩ、ＲＩ及びＰＴＩ又はＲＩ及びＰＭＩ０をフィードバックするサブフレームが衝突して廃棄された場合、優先的にＣＳＩ参照プロセスに対応するＲＩ、又はＲＩ及びＰＴＩ、又はＲＩ及びＰＭＩ０をフィードバックし、又はＣＳＩ参照プロセスのインデックス優先度が必ず前記ＣＳＩプロセスより大きいように制限し、ＣＳＩ参照プロセスに対応するＲＩ、ＲＩ又はＰＴＩ、又はＲＩ及びＰＭＩ０と他のＣＳＩプロセスが衝突して廃棄された場合、ＣＳＩ参照プロセスと前記ＣＳＩ参照プロセスに対応するＣＳＩプロセスのＣＳＩ報告は最近にフィードバックされたＣＳＩ参照プロセスのＲＩ、又はＲＩ及びＰＴＩ、又はＲＩ及びＰＭＩ０に従ってＣＳＩ報告の計算を行い、ＣＳＩ参照プロセスのＲＩサブフレームと前記ＣＳＩ参照プロセスに対応するＣＳＩプロセスのＲＩ又はＰＴＩジョイントコードサブフレームが衝突して廃棄された場合、ＣＳＩ参照プロセスのＲＩ及び最近にフィードバックされたＰＴＩ又はＰＴＩ＝０又はＰＴＩ＝１に従って前記ＣＳＩプロセスのＣＳＩ報告を計算し、且つ前記ＣＳＩ参照プロセスのＲＩをフィードバックし、ＣＳＩ参照プロセスのＲＩサブフレームと前記ＣＳＩ参照プロセスに対応するＣＳＩプロセスのＲＩ又はＰＭＩ０ジョイントコードサブフレームが衝突して廃棄された場合、ＣＳＩ参照プロセスのＲＩ及び前記ＣＳＩプロセスが最近にフィードバックしたＰＭＩ０に従って前記ＣＳＩプロセスのＣＳＩ報告を計算し、且つ前記ＣＳＩ参照プロセスのＲＩをフィードバックし、ＣＳＩ参照プロセスと前記ＣＳＩ参照プロセスに対応するＣＳＩプロセスのＲＩ又はＰＴＩジョイントコードサブフレームが衝突して廃棄された場合、ＣＳＩ参照プロセスのＲＩ又はＰＴＩに従ってＣＳＩプロセスのＣＳＩ報告を計算し、且つＣＳＩ参照プロセスのＲＩ又はＰＴＩ及び計算された前記ＣＳＩ報告をフィードバックし、ＣＳＩ参照プロセスと前記ＣＳＩ参照プロセスに対応するＣＳＩプロセスのＲＩ又はＰＴＩジョイントコードサブフレームが衝突して廃棄された場合、ＣＳＩ参照プロセスのＲＩ及び最近にフィードバックされたＰＴＩに従ってＣＳＩ報告を計算し、且つ前記ＣＳＩ参照プロセスのＲＩ又はＰＴＩ、及び計算された前記ＣＳＩ報告をフィードバックし、前記ＣＳＩ報告がＰＭＩ及び／又はチャネル品質インジケータ（ＣＱＩ）を含み、ＣＳＩ参照プロセスと前記ＣＳＩ参照プロセスに対応するＣＳＩプロセスのＲＩ又はＰＭＩ０ジョイントコードサブフレームが衝突して廃棄された場合、ＣＳＩ参照プロセスのＲＩ又はＰＭＩ０に従ってＣＳＩ報告を計算し、且つ前記ＣＳＩ参照プロセスのＲＩ又はＰＭＩ０、及び計算された前記ＣＳＩ報告をフィードバックし、前記ＣＳＩ報告がＰＭＩ及び／又はＣＱＩを含み、ＣＳＩ参照プロセスのＲＩ又はＰＴＩジョイントコードサブフレームと前記ＣＳＩ参照プロセスに対応するＣＳＩプロセスのＲＩ又はＰＭＩ０ジョイントコードサブフレームが衝突して廃棄された場合、ＣＳＩ参照プロセスのＲＩ及び最近にフィードバックされたＰＭＩ０に従って前記ＣＳＩプロセスのＣＳＩ報告を計算し、且つ前記ＣＳＩ参照プロセスのＲＩ又はＰＴＩ、及び計算された前記ＣＳＩ報告をフィードバックし、前記ＣＳＩ報告がＰＭＩ及び／又はＣＱＩを含み、ＣＳＩ参照プロセスと前記ＣＳＩ参照プロセスに対応するＣＳＩプロセスのＲＩ又はＰＭＩ０ジョイントコードサブフレームが衝突して廃棄された場合、ＣＳＩ参照プロセスのＲＩ及び最近にフィードバックされたＰＴＩ又はＰＴＩ＝０又はＰＴＩ＝１に従って前記ＣＳＩプロセスのＣＳＩ報告を計算し、且つ前記ＣＳＩ参照プロセスのＲＩ又はＰＴＩ、及び計算された前記ＣＳＩ報告をフィードバックし、ＣＳＩ参照プロセスに対応するＲＩと他のＣＳＩプロセスが衝突して廃棄された場合、最近にフィードバックされたＣＳＩ参照プロセスのＲＩに従ってＣＳＩ参照プロセスのＣＳＩ報告の計算及びフィードバックを行い、前記ＣＳＩ参照プロセスに対応するＣＳＩプロセスは現在のサブフレームに算出されたＲＩに従って前記ＣＳＩプロセスのＣＳＩ報告の計算及びフィードバックを行い、又は、ＣＳＩ参照プロセスに対応するＲＩと他のＣＳＩプロセスが衝突して廃棄された場合、最近にフィードバックされたＣＳＩ参照プロセスのＲＩ又は前記ＣＳＩ参照プロセスに対応するＣＳＩプロセスがフィードバックしたＲＩに従って前記ＣＳＩ参照プロセスのＣＳＩを計算してフィードバックすることに用いられる。
【０１０４】
好ましくは、前記計算モジュールは、具体的には、前記端末の１つのＣＳＩプロセスには対応するＣＳＩ参照プロセスを設定した場合、前記対応するＣＳＩ参照プロセスのＲＩに従ってＰＭＩ及びＣＱＩを更新することに用いられる。具体的には、前記計算モジュールは、前記ＣＳＩプロセスのＰＭＩ又はＰＭＩ０フィードバックサブフレームに、最近のＣＳＩ参照プロセスがフィードバックしたＲＩに従ってＰＭＩ及びＣＱＩの計算更新を行い、又は、前記ＣＳＩプロセスのＲＩフィードバックサブフレームに、最近のＣＳＩ参照プロセスがフィードバックしたＲＩに従ってＰＭＩ及びＣＱＩの計算更新を行う。
【０１０５】
上記端末は、柔軟的なチャネル状態情報フィードバックを実現することができ、それによりアップリンクのフィードバックオーバヘッド及び可能なフィードバック情報の衝突の確率を効果的に減少させる。
【０１０６】
当業者は、上記方法における全部又は一部のステップをプログラムによって関連ハードウェアに命令を出して完成させることができ、前記プログラムがコンピュータ読み取り可能な記憶媒体、例えば読取り専用メモリ、ディスク又は光ディスク等に記憶してもよいと理解することができる。選択肢として、上記実施例の全部又は一部のステップが１つ又は複数のＩＣにより実現されてもよい。それに対応して、上記実施例における各モジュール／ユニットはハードウェアの形式で実現されてもよく、ソフトウェア機能モジュールの形式で実現されてもよい。本発明はいかなる特定形式のハードウェアとソフトウェアの組合せに限らない。
【０１０７】
上記実施例は本発明の技術的解決手段を説明するためのものに過ぎず、好適な実施例のみを参照しながら本発明を詳細に説明した。当業者は、本発明の技術的解決手段の趣旨及び原則を逸脱せずに、本発明の技術的解決手段に対して変更又は等価置換を行うことができると理解可能であり、これらの変更、等価置換はいずれも本発明の請求の範囲の内に属すべきである。
【産業上の利用可能性】
【０１０８】
本発明の実施例は柔軟的なチャネル状態情報設定及びフィードバックを実現することができる。
【図１】
2015537451.tif 000005
【図２】
2015537451.tif 000006
【図３】
2015537451.tif 000007
【図４】
2015537451.tif 000008
【国際調査報告】
2015537451.tif 000009
2015537451.tif 000010
2015537451.tif 000011
2015537451.tif 000012